(57)【要約】      （修正有）【課題】保留ランプおよび表示装置を用いて保留数を報知する仕様の遊技機に対して共通の副制御回路を用いる。【解決手段】保留ランプ６５Ａ〜６５Ｄを用いて保留数を報知するように設定されている場合には、保留数報知用主制御信号に対応する保留ランプ用副制御信号を出力し、装飾図柄表示装置３５を用いて保留数を報知するように設定されている場合には、保留数報知用主制御信号に対応する保留ランプ用副制御信号を出力しない。表示制御回路３１は、保留ランプ６５Ａ〜６５Ｄを用いて保留数を報知するように設定されている場合には、保球数報知用副制御信号に対応する表示制御信号を出力せず、装飾図柄表示装置３５を用いて保留数を報知するように設定されている場合には、保留数報知用副制御信号に対応する表示制御信号を出力する。【選択図】図２
2009045125.tif 000002
【特許請求の範囲】
【請求項１】
抽選条件の成立に起因して取得した判定用乱数を用いて抽選を行い、抽選結果に基づいて遊技者に有利な大当たり遊技状態を発生させるか否かを決定する遊技機であり、保留情報記憶条件が満足されている状態で抽選条件が成立した場合には、取得した判定用乱数を含む保留情報を記憶し、保留情報消化条件が満足された場合に、前記保留情報を読み出し、読み出した保留情報に含まれている判定用乱数を用いて抽選を行うとともに、抽選結果および保留情報の数を報知する遊技機であって、
主制御基板と、前記主制御基板に設けられた主制御回路と、副制御基板と、前記副制御基板に設けられた副制御回路と、表示制御基板と、前記表示制御基板に設けられた表示制御回路と、表示装置を備え、
前記主制御回路は、前記抽選結果を示す抽選結果報知用主制御信号および前記保留情報の数を示す保留数報知用主制御信号を前記副制御回路に出力し、
前記副制御回路は、前記主制御回路から出力された抽選結果報知用主制御信号に対応する抽選結果報知用副制御信号および保留数報知用主制御信号に対応する保留数報知用副制御信号を前記表示制御回路に出力するとともに、保留ランプ用副制御信号を出力するように設定されている場合には、前記保留数報知用主制御信号に対応して保留ランプを制御するための保留ランプ用副制御信号を出力し、保留ランプ用副制御信号を出力しないように設定されている場合には、前記保留数報知用主制御信号に対応して保留ランプを制御するための保留ランプ用副制御信号を出力せず、
前記表示制御回路は、前記副制御回路から出力された抽選結果報知用副制御信号に対応して前記表示装置を制御するための表示制御信号を出力するとともに、保留数報知用副制御信号に対応する表示制御信号を出力しないように設定されている場合には、前記副制御回路から出力された保留数報知用副制御信号に対応して前記表示装置を制御するための表示制御信号を出力せず、保留数報知用副制御信号に対応する表示制御信号を出力するように設定されている場合には、前記副制御回路から出力された保留数報知用副制御信号に対応して前記表示装置を制御するための表示制御信号を出力する、
ことを特徴とする遊技機。
【発明の詳細な説明】
【技術分野】
【０００１】
本発明は、パチンコ機等の遊技機に関し、特に、抽選結果の報知が保留されている保智情報の数（保留数）を報知する技術に関する。
【背景技術】
【０００２】
パチンコ機等の遊技球を使用する遊技機では、抽選条件の成立に起因して判定結果を取得し、取得した判定情報を用いて抽選を行い、抽選結果に基づいて、遊技者に有利な大当たり遊技状態を発生させるか否かを決定している。例えば、遊技球が始動入賞口に入球すると、判定用乱数（例えば、大当たり判定用乱数）を取得し、取得した判定用乱数と設定値（当たり値）との比較結果に基づいて大当たり遊技状態を発生させるか否かを決定している。このような遊技機では、遊技者の遊技に対する興趣を高めるために、液晶表示装置等により構成される表示装置、ＬＥＤ等により構成される装飾ランプおよびスピーカ等を用いて抽選結果を報知するように構成されている。また、抽選結果が当たりとなって大当たり遊技状態を発生させる場合（例えば、大当たり判定用乱数が当たり値と一致した場合）には、抽選結果を報知した後、表示装置、装飾ランプおよびスピーカ等を用いて大当たり遊技中であることを報知するように構成されている。
ここで、抽選結果あるいは大当たり遊技中であることを報知している場合には、他の抽選結果を報知することができない。そこで、抽選結果の報知を保留し、後で抽選結果を報知するように構成されている。例えば、抽選結果あるいは大当たり遊技中であることを報知している状態で遊技球が始動入賞口に入球した場合には、取得した判定用乱数を含む保留情報を記憶する。そして、抽選結果の報知および大当たり遊技中であることの報知が終了した時に、保留情報を読み出し、読み出した保留情報に含まれている判定用乱数を用いて抽選を行い、抽選結果を報知するように構成されている（抽選結果を消化する）。通常、保留情報は４個まで記憶可能である。
この保留情報によって大当たり遊技状態が発生するか否かが決定されるため、遊技者は、保留情報の数に非常に興味を持っている。そこで、保留情報の数（保留数）を報知する遊技機が提案されている。例えば、保留ランプを用いて保留数を報知する遊技機が提案されている（特許文献１参照）。特許文献１に示されている遊技機では、遊技機全体を制御する主制御回路と、表示装置を制御する表示制御回路との間に設けられている副制御回路は、主制御回路から出力された保留数報知用主制御信号で示されている保留数を保留ランプを用いて報知するための保留ランプ用副制御信号を出力する。あるいは、表示装置を用いて保留数を報知する遊技機が提案されている（特許文献２参照）。特許文献２に示されている遊技機では、副制御回路は、主制御回路から出力された保留数報知用主制御信号に対応する保留数報知用副制御信号を表示制御回路に出力し、表示制御回路は、副制御回路から出力された保留数報知用副制御信号で示されている保留数を表示装置を用いて報知するための表示制御信号を出力する。
【特許文献１】特開２００５−５２３４１号公報
【特許文献２】特開２００５−１９８６８５号公報
【発明の開示】
【発明が解決しようとする課題】
【０００３】
特許文献１に示されている遊技機では、副制御回路として、主制御回路から出力された保留数報知用主制御信号に対応する保留ランプ用副制御信号を出力するとともに、保留数報知用主制御信号に対応する保留数報知用副制御信号を表示制御回路に出力しない副制御回路が用いられる。一方、特許文献２に示されている遊技機では、副制御回路として、主制御回路から出力された保留数報知用主制御信号に対応する保留数報知用副制御信号を表示制御回路に出力するとともに、保留数報知用主制御信号に対応する保留ランプ用副制御信号を出力しない副制御回路が用いられる。このため、保留ランプを用いて保留数を報知する仕様の遊技機用の副制御回路と表示装置を用いて保留数を報知する仕様の遊技機用の副制御回路を用意する必要があり、コストが高くなる。
本発明は、このような点に鑑みて創案されたものであり、保留ランプを用いて保留数を報知する仕様の遊技機と表示装置を用いて保留数を報知する仕様の遊技機に対して共通の副制御回路を用いることができる技術を提供することを目的とする。
【課題を解決するための手段】
【０００４】
本発明の遊技機は、主制御基板と、副制御基板と、表示制御基板と、表示装置を備えている。主制御基板には主制御回路が設けられ、副制御基板には副制御回路が設けられ、表示制御基板には表示制御回路が設けられている。表示装置としては、抽選結果を装飾図柄（例えば、文字、図形、キャラクタ等）を用いて変動表示可能な表示装置が用いられる。典型的には、液晶表示装置が用いられる。
主制御回路は、遊技状態を示す種々の入力信号に基づいて、種々の処理を実行する。
例えば、抽選条件の成立に起因して判定用乱数を取得し、取得した判定用乱数を用いて、遊技者に有利な大当たり遊技状態を発生させるか否かを決定するための抽選を行う。
判定用乱数を用いて抽選を行う方法としては、種々の方法を用いることができる。例えば、保留情報記憶条件が満足されている状態で抽選条件が成立した場合には、判定用乱数を取得し、取得した判定用乱数を含む保留情報を記憶し、そして、保留情報消化条件が満足された場合に、保留情報を読み出し、読み出した保留情報に含まれている判定用乱数を用いて抽選を行う方法を用いることができる。読み出された保留情報は消去される。この方法では、「抽選条件」として、遊技球が始動入賞口に入球したことを示す始動入賞球検出信号が入力された条件を用い、「保留情報記憶条件」として、保留情報の数（保留数）が設定数（通常「４」）に達していない（保留数≦３）条件を用い、「保留情報消化条件」として、抽選結果および大当たり遊技中であることが報知されていない条件を用いることができる。あるいは、抽選条件が成立した場合には、判定用乱数を取得し、取得した判定用乱数を用いて抽選を行い、保留情報記憶条件が満足されている状態で抽選条件が成立した場合には、判定用乱数を取得し、取得した判定用乱数を含む保留情報を記憶し、そして、保留情報消化条件が満足された場合に、保留情報を読み出し、読み出した保留情報に含まれている判定用乱数を用いて抽選を行う方法を用いることができる。この方法では、「抽選条件」として、遊技球が始動入賞口に入球したことを示す始動入賞球検出信号が入力された条件を用い、「保留情報記憶条件」として、抽選結果の報知あるいは大当たり遊技中であることの報知が行われているとともに、保留数が設定数に達していない（保留数≦３）条件を用い、「保留情報消化条件」として、抽選結果の報知および大当たり遊技中であることの報知が行われていない条件を用いることができる。抽選は、一つの判定用乱数（例えば、大当たり判定用乱数）を用いて行うこともできるし、複数の判定用乱数（例えば、大当たり判定用乱数と当たり図柄判定用乱数）を用いて行うこともできる。判定用乱数としては、典型的には、下限値と上限値の間で順次設定値ずつ更新されるカウント値が用いられる。抽選は、例えば、判定用乱数と設定値（当たり値）とを比較することによって行われる。
そして、主制御回路は、抽選結果を報知するための抽選結果報知用主制御信号を副制御回路に出力する。抽選結果報知用主制御信号としては、例えば、変動パターン判定用乱数を示す変動パターン用主制御信号、図柄判定用乱数を示す図柄用主制御信号等が用いられる。
さらに、主制御回路は、保留情報の数（保留数）を報知するために、保留数を示す保留数報知用主制御信号を副制御回路に出力する。保留数報知用主制御信号としては、例えば、保留数の総数を示す保留数報知用主制御信号あるいは保留数が「１」増加または「１」減少したことを示す保留数報知用主制御信号が用いられる。
なお、主制御回路は、抽選結果が当たりである場合（大当たり遊技状態を発生させる場合）には、抽選結果を報知した後、大当たり遊技中であることを報知するための大当たり遊技報知用主制御信号を副制御回路に出力するととともに、大当たり遊技状態を発生させるための主制御信号（例えば、大入賞口を開閉する大入賞口開閉部材を開制御するための大入賞口開閉部材用主制御信号等）を出力する。
副制御回路は、主制御回路から出力された抽選結果報知用主制御信号に対応する抽選結果報知用副制御信号および保留数報知用主制御信号に対応する保留数報知用副制御信号を表示制御回路に出力する。例えば、変動パターン用主制御信号で示される変動パターン判定用乱数に対応する変動パターンを示す変動パターン用副制御信号、図柄用主制御信号で示される図柄判定用乱数に対応する図柄を示す図柄用副制御信号等を抽選結果報知用副制御信号として出力する。また、保留数報知用主制御信号で示される保留数を示す保留数報知用副制御信号を出力する。本発明では、副制御回路は、主制御回路から出力された抽選結果報知用主制御信号および保留数報知用主制御信号に対応する抽選結果報知用副制御信号および保留数報知用副制御信号を表示制御回路に必ず出力するように構成されている。
さらに、副制御回路は、保留ランプ用副制御信号を出力するように設定されている場合には、主制御回路から出力された保留数報知用主制御信号に対応して保留ランプを制御するための保留ランプ用副制御信号を出力し、保留ランプ用副制御信号を出力しないように設定されている場合には、主制御回路から出力された保留数報知用主制御信号に対応して保留ランプを制御するための保留ランプ用副制御信号を出力しない。保留ランプとしては、点滅動作や所定の色の光を発生可能な種々の構成のランプを用いることができる。典型的には、ＬＥＤ（発光ダイオード）や白熱電球が用いられる。保留ランプ用副制御信号としては、保留数を保留ランプを用いて報知するための種々の制御信号を用いることができる。例えば、保留数報知用主制御信号で示される保留数に対応する数の保留ランプを点灯させる制御信号が用いられる。
また、副制御回路から副制御信号を出力する法としては、パラレル出力方法やシリアル出力方法を用いることができる。副制御信号をパラレル出力する場合には、副制御回路に、副制御信号をパラレル出力するための副制御信号出力端子が各副制御信号に対応して設けられる。例えば、保留ランプ用副制御信号をパラレル出力する場合には、保留ランプ用副制御信号をパラレル出力する保留ランプ用副制御信号出力端子を有する副制御回路が用いられる。ここで、不正遊技防止の観点からは、基板に空き端子を設けないように構成するのが好ましい。このため、保留ランプ用副制御信号出力端子を有する副制御回路を用いる場合、保留ランプ用副制御信号を出力するように設定する時には（保留ランプを用いる時には）、保留ランプ用副制御信号出力端子を有するとともに、この保留ランプ用副制御信号出力端子と副制御回路の保留ランプ用副制御信号出力端子が配線パターンによって接続されている副制御基板を用い、保留ランプ用副制御信号を出力しないように設定する時には（保留ランプを用いない時には）、保留ランプ用副制御信号出力端子を有していない副制御基板を用いるのが好ましい。一方、副制御信号をシリアル出力する場合には、複数の副制御信号をシリアル出力可能な共通の副制御信号出力端子を有する副制御回路を用いるのが好ましい。例えば、装飾ランプ用副制御信号と保留ランプ用副制御信号をシリアル出力する場合には、装飾ランプ用副制御信号および保留ランプ用副制御信号をシリアル出力する共通の装飾ランプ／保留ランプ用副制御信号出力端子を有する副制御回路が用いられる。この場合には、保留ランプ用副制御信号を出力するように設定する時（保留ランプを用いる時）および保留ランプ用副制御信号を出力しないように設定する時（保留ランプを用いない時）のいずれに対しても共通の副制御基板を用いることができる。
副制御回路を、保留ランプ用副制御信号を出力するように設定する方法あるいは保留ランプ用副制御信号を出力しないように設定する方法としては、種々の方法を用いることができる。好適には、主制御回路から出力される主制御信号と、当該主制御信号に対応する副制御回路の処理内容が書き込まれている副制御回路用処理リストの処理内容を書き替える方法が用いられる。例えば、副制御回路用処理リストの保留数報知用主制御信号に対応する処理内容を書き替える。この方法を用いることにより、プログラムの簡単な修正で対応することができる。
表示制御回路は、副制御回路から出力された抽選結果報知用副制御信号に対応して表示装置を制御するための表示制御信号を出力する。例えば、変動パターン用副制御信号で示される変動パターンで装飾図柄を表示装置に変動表示させ、図柄用副制御信号で示される図柄を表示装置に停止表示させるための表示制御信号を出力する。
さらに、表示制御回路は、保留数報知用副制御信号に対応する表示制御信号を出力しないように設定されている場合（保留ランプを用いている場合）には、副制御回路から出力された保留数報知用副制御信号に対応して表示装置を制御するための表示制御信号を出力せず、保留数報知用副制御信号に対応する表示制御信号を出力するように設定されている場合（保留ランプを用いていない場合）には、副制御回路から出力された保留数報知用副制御信号に対応して表示装置を制御するための表示制御信号（保留数報知用副制御信号で示されている保留数を表示装置に表示するための表示制御信号）を出力する。表示制御回路を、保留数報知用副制御信号に対応する表示制御信号を出力しないように設定する方法あるいは保留数報知用副制御信号に対応する表示制御信号を出力するように設定する方法としては、種々の方法を用いることができる。好適には、副制御回路から出力される副制御信号と、当該副制御信号に対応する表示制御回路の処理内容が書き込まれている表示制御回路用処理リストの処理内容を書き替える方法が用いられる。例えば、表示制御回路用処理リストの保留数報知用副制御信号に対応する処理内容を書き替える。この方法を用いることにより、プログラムの簡単な修正で対応することができる。
本発明では、副制御回路によって保留数を保留ランプを用いて報知する仕様の遊技機と表示制御回路によって保留数を表示装置を用いて報知する仕様の遊技機に対して、副制御回路を、主制御回路から出力された保留数報知用主制御信号に対応して保留ランプを制御するための保留ランプ用副制御信号を出力するように設定するかあるいは出力しないように設定するとともに、表示制御回路を、副制御回路から出力された保留数報知用副制御信号に対応して表示装置を制御するための表示制御信号を出力しないように設定するかあるいは出力するように設定するだけで、共通の副制御回路を用いることができる。
なお、副制御回路および表示制御回路のこのような設定は、副制御回路用処理リストおよび表示制御回路用処理リストの処理内容を書き替えることによって容易に行うことができる。この場合、副制御回路用処理リストと表示制御回路用処理リストの処理内容を対比することによって、副制御回路および表示制御回路の処理内容の設定状態を容易、確実に確認することができる。
【発明の効果】
【０００５】
本発明の技術を用いることにより、副制御回路によって保留数を保留ランプを用いて報知する仕様の遊技機と表示制御回路によって保留数を表示装置を用いて報知する仕様の遊技機に対して共通の副制御回路を用いることができるため、安価な遊技機を提供することができる。
【発明を実施するための最良の形態】
【０００６】
以下に、本発明をパチンコ機として構成した実施の形態を、図面を参照して説明する。図１は、第１の実施の形態のパチンコ機１の正面図である。
本実施の形態のパチンコ機１は、概略、遊技店の島等に配設される基枠２と、基枠２に回動可能に取り付けられた本体枠３と、本体枠３に回動可能に取り付けられたガラス枠５を有している。本体枠３には、遊技盤４が着脱自在に取り付けられている。遊技盤４には、ガイドレールによって遊技領域が形成されている。遊技領域には、始動入賞装置６、大入賞装置７、一般入賞装置８、特別図柄表示装置１５、装飾図柄表示装置３５等が設けられている。始動入賞装置６は、始動入賞口と、遊技球が始動入賞口に入球したことを検出して遊技球が始動入賞口に入球したことを示す始動入賞球検出信号を出力する始動入賞球検出器を有している。大入賞装置７は、大入賞口と、大入賞口を開閉する大入賞口開閉部材と、遊技球が大入賞口に入球したことを検出して遊技球が大入賞口に入球したことを示す大入賞球検出信号を出力する大入賞球検出器を有している。普通入賞装置８は、普通入賞口と、遊技球が普通入賞口に入球したことを検出して遊技球が普通入賞口に入球したことを示す普通入賞球検出信号を出力する普通入賞球検出器を有している。特別図柄表示装置１５としては、例えば、処理負担が軽いＬＥＤ等により構成される表示装置が用いられる。装飾図柄表示装置３５としては、例えば、種々の演出表示を行うことができる液晶表示装置が用いられる。本体枠３には、遊技球をガイドレールに沿って遊技領域に発射させる発射レバー９が設けられている。また、本体枠３、遊技盤４やガラス枠５には、遊技演出等を行うための装飾ランプ５５Ａ〜５５Ｍが設けられている。装飾ランプ５５Ａ〜５５Ｍとしては、ＬＥＤ（発光ダイオード）や白熱電球が用いられる。
なお、保留数を保留ランプを用いて報知する仕様（本明細書では、「第１の仕様」という）の遊技機では、保留ランプ６５Ａ〜６５Ｄが設けられる。通常、保留情報は４個まで記憶可能であるため、４個の保留ランプが設けられる。保留ランプ６５Ａ〜６５Ｄを制御する方法としては、適宜の方法を用いることができる。典型的には、保留数に対応する数の保留ランプを点灯制御する方法が用いられる。保留ランプ６５Ａ〜６５Ｄの取り付け位置や数は適宜選択可能である。
また、保留数を装飾図柄表示装置３５を用いて報知する仕様（本明細書では、「第２の仕様」という）の遊技機では、装飾図柄表示装置３５の表示画面に保留表示部（保留数表示部）３６Ａ〜３６Ｄが表示される。図１では、装飾図柄表示装置３５の表示画面に４個の保留表示部が表示される。保留表示部３６Ａ〜３６Ｄを表示する方法としては、適宜の方法を用いることができる。典型的には、保留数に対応する数の保留表示部を表示する方法が用いられる。
【０００７】
次に、本実施の形態のパチンコ機１の制御系の概略構成を説明する。
図２は、保留数を保留ランプ６５Ａ〜６５Ｄを用いて報知する第１の仕様のパチンコ機の概略構成図である。
【０００８】
第１の仕様のパチンコ機は、図２に示されているように、主制御基板１０、副制御基板２０、表示制御基板３０、装飾ランプ駆動基板５０、保留ランプ駆動基板６０等の基板を有している。また、特別図柄表示装置１５、装飾図柄表示装置３５、スピーカ（音発生器）２５、ＬＥＤや白熱電球等により構成されるＭ個の装飾ランプ（装飾用光発生器）５５Ａ〜５５Ｍ、ＬＥＤや白熱電球等により構成されるＤ個の保留ランプ（保留数報知用光発生器）６５Ａ〜６５Ｄ等の遊技用機器を有している。一般的に、保留情報は４個まで保留情報可能である。このため、本実施の形態では、４個の保留ランプが設けられる。
特別図柄表示装置１５は、特別図柄を用いて抽選結果を報知（表示）する。装飾図柄表示装置３５は、抽選結果や大当たり遊技中であることを、装飾図柄等を用いて報知（表示）する。スピーカ２５は、抽選結果や大当たり遊技中であることを、音を用いて報知する。装飾ランプ５５Ａ〜５５Ｍは、抽選結果や大当たり遊技中であることを、光を用いて報知する。保留ランプ６５Ａ〜６５Ｄは、保留情報の数（保留数）を、光を用いて報知する。
なお、パチンコ機は、これ以外の種々の基板や遊技用機器を有している。例えば、電源基板や払出制御基板等の基板、払出装置等の遊技用機器を有している。
【０００９】
主制御基板１０には、主制御回路１１、ＲＯＭやＲＡＭを含む記憶回路（主制御用記憶回路）１２、表示装置駆動装置（特別図柄用表示装置駆動装置）１３等が配設されている。
主制御回路１１の信号入力端子１１ａ〜１１ｃには、主制御基板１０の信号入力端子１０ａ〜１０ｃを介して、それぞれ、遊技球が始動入賞口に入球したことを示す始動入賞球検出信号、遊技球が普通入賞口に入球したことを示す普通入賞球検出信号、遊技球が大入賞口に入球したことを示す大入賞球検出信号等が入力される。なお、主制御回路１１に入力される入力信号はこれに限定されない。
主制御回路１１は、信号入力端子１１ａ〜１１ｃに入力された入力信号と、記憶回路接続端子１１ｄに接続されている記憶回路１２に記憶されている情報（制御プログラム、判定用乱数、制御データ等）に基づいて各種の主制御信号を出力する。
本実施の形態では、主制御回路１１は、副制御用主コマンド信号を副制御用主制御信号として副制御回路２１に出力する。主制御回路１１から副制御回路２１に出力する副制御用主コマンド信号としては、例えば、抽選結果を報知するための抽選結果報知用主コマンド信号、大当たり遊技中であることを報知するための大当たり遊技報知用主コマンド信号、保留数を報知するための保留数報知用主コマンド信号等が用いられる。抽選結果報知用主コマンド信号、大当たり遊技報知用主コマンド信号、保留数報知用主コマンド信号は、主制御信号出力端子（主コマンド信号出力端子）１１ｅから、主制御基板１０の主制御信号出力端子（主コマンド信号出力端子）１０ｅ、副制御基板２０の主制御信号入力端子（主コマンド信号入力端子）２０ａを介して副制御回路２１の主制御信号入力端子（主コマンド信号入力端子）２１ａに出力される。抽選結果報知用コマンド信号としては、変動パターン判定用乱数を示す変動パターン用主コマンド信号、図柄判定用乱数を示す図柄用主コマンド信号、装飾図柄の変動表示の開始を示す変動表示開始用主コマンド信号、装飾図柄の変動表示の停止を示す変動表示停止用主コマンド信号等が用いられる。なお、大当たり判定用乱数が設定値（大当たり値）と一致する場合（当たりである場合）には、当たり変動パターン判定用乱数を示す当たり変動パターン用主コマンド信号と当たり図柄判定用乱数を示す当たり図柄用主コマンド信号が抽選結果報知用主コマンド信号として用いられ、大当たり判定用乱数が設定値（大当たり値）と一致しない場合（はずれである場合）には、はずれ変動パターン判定用乱数を示すはずれ変動パターン用主コマンド信号とはずれ図柄判定用乱数を示すはずれ図柄用主コマンド信号が抽選結果報知用主コマンド信号として用いられる。大当たり遊技報知用主コマンド信号としては、例えば、大当たり遊技の報知の開始を示す大当たり遊技報知開始用主コマンド信号、大当たり遊技の報知の終了を示す大当たり遊技報知終了用主コマンド信号等が用いられる。保留数報知用主コマンド信号としては、例えば、保留数の総数を示す保留数報知用主コマンド信号、あるいは、保留数が「１」増加したことまたは「１」減少したことを示す保留数報知用主コマンド信号が用いられる。
また、主制御回路１１は、抽選結果を特別図柄表示装置１５に表示するための特別図柄用主制御信号を、特別図柄用主制御信号出力端子１１ｆから表示装置駆動装置１３に出力する。表示装置駆動装置１３は、主制御回路１１から出力された特別図柄用主制御信号に基づいて、特別図柄用駆動信号を主制御基板１０の特別図柄用駆動信号出力端子１０ｄから特別図柄表示装置１５に出力する。
【００１０】
副制御基板２０には、副制御回路２１、ＲＯＭやＲＡＭを含む記憶回路（副制御用記憶回路）２２、音源ＩＣ２３等が配設されている。記憶回路２２には、制御プログラム、主制御回路１１から出力される主制御信号と、当該主制御信号に対応する副制御回路２１の処理内容が書き込まれている副制御回路用処理リスト（例えば、コマンドリスト）等が記憶されている。本実施の形態では、主制御回路１１から副制御回路２１に副制御用主コマンド信号が副制御用主制御信号として出力されるため、副制御回路用処理リストには、主制御顔路１１から出力される副制御用主コマンド信号に対応する処理内容が書き込まれる。
副制御回路２１は、主制御信号入力端子（主コマンド信号入力端子）２１ａに入力された主制御信号（主コマンド信号）と、記憶回路接続端子２１ｂに接続されている記憶回路２２に記憶されている情報に基づいて各種の副制御信号を出力する。
【００１１】
本実施の形態では、副制御回路２１は、表示用副コマンド信号を表示用副制御信号として表示制御回路３１に出力する。副制御回路２１から表示制御回路３１に出力する表示用副コマンド信号としては、例えば、抽選結果を装飾図柄表示装置３５を用いて報知するための抽選結果報知用副コマンド信号、大当たり遊技中であることを装飾図柄表示装置３５を用いて報知するための大当たり遊技報知用副コマンド信号、保留数を装飾図柄表示装置３５を用いて報知するための保留数報知用副コマンド信号等が用いられる。抽選結果報知用副コマンド信号、大当たり遊技報知用副コマンド信号、保留数報知用副コマンド信号は、表示用副制御信号出力端子（表示用副コマンド信号出力端子）２１ｃから、副制御基板２０の表示用副制御信号出力端子（表示用副コマンド信号出力端子）２０ｂ、表示制御基板３０の副制御信号入力端子（副コマンド信号入力端子）３０ａを介して表示制御回路３１の副制御信号入力端子（副コマンド信号入力端子）３１ａに出力される。
抽選結果報知用副コマンド信号としては、例えば、変動パターン用主コマンド信号で示される変動パターン判定用乱数に対応する変動パターンを示す変動パターン用副コマンド信号、図柄用主コマンド信号で示される図柄判定用乱数に対応する図柄を示す図柄用副コマンド信号、装飾図柄の変動開始を示す変動表示開始用副コマンド信号、装飾図柄の変動停止を示す変動表示停止用副コマンド信号等が用いられる。なお、変動パターン用副コマンド信号および図柄用副コマンド信号としては、当たり変動パターン用主コマンド信号で示される当たり変動パターン判定用乱数に対応する当たり変動パターンを示す当たり変動パターン用副コマンド信号と当たり図柄用主コマンド信号で示される当たり図柄判定用乱数に対応する当たり図柄を示す当たり図柄用副コマンド信号、あるいは、はずれ変動パターン用主コマンド信号で示されるはずれ変動パターン判定用乱数に対応するはずれ変動パターンを示すはずれ変動パターン用副コマンド信号とはずれ図柄用主コマンド信号で示されるはずれ図柄判定用乱数に対応するはずれ図柄を示すはずれ図柄用副コマンド信号が用いられる。大当たり遊技報知用副コマンド信号としては、例えば、大当たり遊技の報知の開始を示す大当たり遊技報知開始用副コマンド信号、大当たり遊技の報知の終了を示す大当たり遊技報知終了用副コマンド信号等が用いられる。保留数報知用副コマンド信号としては、例えば、保留数報知用主コマンド信号で示される保留数を示す保留数報知用副コマンド信号が用いられる。例えば、保留数の総数を示す保留数報知用副コマンド信号、あるいは、保留数が「１」増加したことまたは「１」減少したことを示す保留数報知用副コマ
【００１２】
また、副制御回路２１は、スピーカ２５を制御するための音用副コマンド信号を音用副制御信号として、音用副制御信号出力端子（音用副コマンド信号出力端子）２１ｄから音源ＩＣ２３に出力する。音源ＩＣ２３は、副制御回路２１から出力された音用副コマンド信号に対応してスピーカ２５を駆動するための音用駆動信号を副制御基板２０の音用駆動信号出力端子２０ｃからスピーカ２５に出力する。
また、副制御回路２１は、装飾ランプ５５Ａ〜５５Ｍを制御するための装飾ランプ用副コマンド信号を装飾ランプ用副制御信号として、装飾ランプ用副制御信号出力端子（装飾ランプ用副コマンド信号出力端子）２１ｅから、副制御基板２０の装飾ランプ用副制御信号出力端子（装飾ランプ用副コマンド信号出力端子）２０ｄ、装飾ランプ駆動基板５０の副制御信号入力端子（副コマンド信号入力端子）５０ａを介して装飾ランプ制御回路５１の副制御信号入力端子（副コマンド信号入力端子）５１ａに出力する。
また、副制御回路２１は、保留ランプ６５Ａ〜６５Ｄを制御するための保留ランプ用副コマンド信号を保留ランプ用副制御信号として、保留ランプ用副制御信号出力端子（保留ランプ用副コマンド信号出力端子）２１ｆから、副制御基板２０の保留ランプ用副制御信号出力端子（保留ランプ用副コマンド信号出力端子）２０ｅ、保留ランプ駆動基板６０の副制御信号入力端子（副コマンド信号入力端子）６０ａを介して保留ランプ制御回路６１の副制御信号入力端子（副コマンド信号入力端子）６１ａに出力さする。
【００１３】
なお、本実施の形態では、副制御回路２１から装飾ランプ制御回路５１、保留ランプ制御回路６１への装飾ランプ用副制御信号、保留ランプ用副制御信号の出力方法として、副コマンド信号をパラレル出力する方法を用いている。このため、副制御回路２１には、装飾ランプ用副コマンド信号をパラレル出力するための装飾ランプ用副コマンド信号出力端子２１ｅ、保留ランプ用副コマンド信号をパラレル出力するための保留ランプ用副コマンド信号出力端子２１ｆが設けられ、また、副制御基板２０には、副制御回路２１の装飾ランプ用副コマンド信号出力端子２１ｅと配線パターンによって接続されている装飾ランプ用副コマンド信号出力端子２０ｄ、副制御回路２１の保留ランプ用副コマンド信号出力端子２１ｆと配線パターンで接続されている保留ランプ用副コマンド信号出力端子２０ｅが設けられている。
勿論、装飾ランプ用副制御信号と保留ランプ用副制御信号をシリアル出力する方法を用いることもできる。この場合には、副制御回路２１には、例えば、共通の装飾ランプ／保留ランプ用副制御信号出力端子が設けられ、副制御基板２０には、副制御回路２１の共通の装飾ランプ／保留ランプ用副制御信号出力端子と配線パターンで接続されている共通の装飾ランプ／保留ランプ用副制御信号出力端子が設けられる。
【００１４】
副制御回路２１の信号入力端子２１ａ、表示用副制御信号出力端子２１ｃ、音用副制御信号出力端子２１ｄ、装飾ランプ用副制御信号出力端子２１ｅ、保留ランプ用副制御信号出力端子２１ｆは、それぞれ本発明の「副制御回路の信号入力端子、表示用副制御信号出力端子、音用副制御信号出力端子、装飾ランプ用副制御信号出力端子、保留ランプ用副制御信号出力端子」に対応し、副制御基板２０の信号入力端子２０ａ、表示用副制御信号出力端子２０ｂ、音用駆動信号出力端子２０ｃ、装飾ランプ用服制御信号出力端子２０ｄ、保留ランプ用服制御信号出力端子２０ｅは、それぞれ本発明の「副制御基板の信号入力端子、表示用副制御信号出力端子、音用副制御信号出力端子、装飾ランプ用副制御信号出力端子、保留ランプ用副制御信号出力端子」に対応する。
【００１５】
表示制御基板３０には、表示制御回路３１、ＲＯＭやＲＡＭを含む記憶回路（表示制御用記憶回路）３２、表示装置駆動装置（装飾図柄用表示装置駆動装置）４０等が配設されている。
記憶回路３２には、制御プログラム、副制御回路２１から出力される副制御信号と、当該副制御信号に対応する表示制御回路３１の処理内容が書き込まれている表示制御回路用処理リスト（例えば、コマンドリスト）等が記憶されている。本実施の形態では、副制御回路２１から表示制御回路３１に表示用副コマンド信号が表示用副制御信号として出力されるため、表示制御回路用処理リストには、副制御回路２１から出力される表示用副コマンド信号に対応する処理内容が書き込まれる。
表示装置駆動装置４０は、ＶＤＰ（ビデオディスプレイプロセッサ）（画像処理回路）４１、ＲＯＭやＲＡＭを含む記憶回路（画像処理用記憶回路）４２、表示装置駆動回路（装飾図柄用表示装置駆動回路）４３を有している。
表示制御回路３１は、副コマンド信号入力端子３１ａに入力された表示用副コマンド信号（抽選結果報知用副コマンド信号、大当たり遊技報知用副コマンド信号、保留数報知用副コマンド信号等）と記憶回路３２に書き込まれている情報に基づいて、装飾図柄表示装置３５を制御するための表示制御信号を表示装置駆動装置４０に出力する。表示装置駆動装置４０は、表示制御回路３１から出力された表示制御信号に基づいて、装飾図柄駆動信号を表示制御基板３０の装飾図柄駆動信号出力端子３０ｂから装飾図柄表示装置３５に出力する。例えば、ＶＤＰ４１は、表示制御信号に基づいて、記憶回路４２から画像情報（装飾図柄画像情報、キャラクタ画像情報、背景画像情報等）を読み出し、読み出した各画像情報を、大きさや配設位置を調整しながら合成することによって表示画面に対応するビットマップデータを作成する。そして、作成したビットマップデータに基づいて表示装置駆動回路４３に制御信号を出力する。表示装置駆動回路４３は、入力された制御信号に基づいて装飾図柄駆動信号を出力する。
【００１６】
本実施の形態では、保留数を保留ランプ６５Ａ〜６５Ｄを用いて報知する仕様（第１の仕様）と保留数を装飾図柄表示装置３５を用いて報知する仕様に対して共通の副制御回路２１を使用可能とするために、副制御回路２１は、主制御回路１１から出力された保留数報知用主制御信号に対応する保留数報知用副制御信号を必ず出力するように構成している。そして、副制御回路２１および表示制御回路３１の処理内容を、仕様に応じて設定している。
第１の仕様では、保留数を保留ランプ６５Ａ〜６５Ｄを用いて報知するため、副制御回路２１は、保留数報知用制御信号に対応する保留ランプ用副制御信号（本実施の形態では、保留ランプ用副コマンド信号）を出力するように設定されるが、表示制御回路３１は、保留数報知用副制御信号に対応する表示制御信号は出力しないように設定される。すなわち、表示制御回路３１は、保留数報知用副制御信号が入力されても、保留数報知用副制御信号に対応して装飾図柄表示装置３５を制御するための表示制御信号を出力しない。
保留数報知用副制御信号に対応する表示制御信号を出力しないように設定する方法としては、好適には、表示制御回路用処理リストの保留数報知用副制御信号に対応する表示制御回路の処理内容を、「保留数報知用副制御信号に対応する表示制御信号を出力しないで次のステップに進む」処理内容に書き替える方法が用いられる。
【００１７】
装飾ランプ駆動基板５０には、装飾ランプ制御回路５１、ＲＯＭやＲＡＭ等の記憶回路（装飾ランプ用記憶回路）５２が配設されている。装飾ランプ駆動基板５０の装飾ランプ駆動信号出力端子５０Ａ〜５０Ｍそれぞれには、駆動素子（装飾ランプ用駆動素子）５３Ａ〜５３Ｍが接続されているとともに、装飾ランプ５５Ａ〜５５Ｍが接続される。駆動素子５３Ａ〜５３Ｍの制御端子は、それぞれ装飾ランプ制御回路５１の装飾ランプ制御信号出力端子５１Ａ〜５１Ｍに接続されている。
記憶回路５２には、副制御回路２１から出力される装飾ランプ用副制御信号（本実施の形態では、装飾ランプ用副コマンド信号）に対応する処理内容が書き込まれている装飾ランプ制御回路用処理リストが記憶されている。例えば、副制御回路２１から出力される装飾ランプ用副制御信号に対応する装飾ランプ制御信号出力端子５１Ａ〜５１Ｍからの装飾ランプ制御信号の出力パターン（装飾ランプ５５Ａ〜５５Ｍの駆動パターン）が書き込まれている。
装飾ランプ制御回路５１は、副制御信号入力端子（副コマンド信号入力端子）５１ａに入力された装飾ランプ用副制御信号（装飾ランプ用副コマンド信号）と、記憶回路接続端子５１ｂに接続されている記憶回路５２に記憶されている情報に基づいて装飾ランプ制御信号出力端子５１Ａ〜５１Ｍから装飾ランプ制御信号を出力し、駆動素子５３Ａ〜５３Ｍを制御して装飾ランプ５５Ａ〜５５Ｍを駆動する。
なお、副制御回路２１から装飾ランプ用副制御信号がシリアル出力される場合には、装飾ランプ制御回路５１は、装飾ランプ用副制御信号をシリアル／パラレル変換し、パラレル変換した各信号を装飾ランプ制御信号出力端子５１Ａ〜５１Ｍから出力するように構成される。
【００１８】
保留ランプ駆動基板６０には、保留ランプ制御回路６１、ＲＯＭやＲＡＭ等の記憶回路（保留ランプ用記憶回路）６２が配設されている。保留ランプ駆動基板６０の保留ランプ駆動信号出力端子６０Ａ〜６０Ｄそれぞれには、駆動素子（保留ランプ用駆動素子）６３Ａ〜６３Ｄが接続されているとともに、保留ランプ６５Ａ〜６５Ｄが接続される。駆動素子６３Ａ〜６３Ｄの制御端子は、それぞれ保留ランプ制御回路６１の保留ランプ制御信号出力端子６１Ａ〜６１Ｄに接続されている。
記憶回路６２には、副制御回路２１から出力される保留ランプ用副制御信号（本実施の形態では、保留ランプ用副コマンド信号）に対応する処理内容が書き込まれている保留ランプ制御回路用処理リストが記憶されている。例えば、副制御回路２１から出力される保留ランプ用副制御信号に対応する保留ランプ制御信号出力端子６１Ａ〜６１Ｄからの保留ランプ制御信号の出力パターン（保留ランプ６５Ａ〜６５Ｄの駆動パターン）が書き込まれている。
保留ランプ制御回路６１は、副制御信号入力端子（副コマンド信号入力端子）６１ａに入力された保留ランプ用副制御信号（保留ランプ用副コマンド信号）と、記憶回路接続端子６１ｂに接続されている記憶回路６２に記憶されている情報に基づいて保留ランプ制御信号出力端子６１Ａ〜６１Ｄから保留ランプ制御信号を出力し、駆動素子６３Ａ〜６３Ｄを制御して保留ランプ６５Ａ〜６５Ｄを駆動する。
なお、副制御回路２１から保留ランプ用副制御信号がシリアル出力される場合には、保留ランプ制御回路６１は、保留ランプ用副制御信号をシリアル／パラレル変換し、パラレル変換した各信号を保留ランプ制御信号出力端子６１Ａ〜６１Ｄから出力するように構成される。
【００１９】
次に、本実施の形態の主制御回路１１の概略構成を、図３に示すブロック図により説明する。なお、記憶回路（主制御用記憶回路）１２は、ＲＯＭ１２ａとＲＡＭ１２ｂにより構成されている。ＲＯＭ１２ａには、主制御回路１１の各手段の動作プログラム、抽選を行う際に用いられる設定値（当たり値）１２ａ１等が記憶されている。また、ＲＡＭ１２ｂには、初期値用乱数１２ｂ１、判定用乱数１２ｂ２、保留情報１２ｂ３、主制御回路１１から出力される主制御信号１２ｂ４、各種の情報等が記憶されている。
主制御回路１１は、初期値用乱数更新手段１１Ａ、判定用乱数更新手段１１Ｂ、入力手段１１Ｃ、判定用乱数取得手段１１Ｄ、保留情報処理手段１１Ｅ、抽選手段１１Ｆ、出力手段１１Ｇ等により構成されている。
【００２０】
初期値用乱数更新手段１１Ａは、判定用乱数の初期値として用いられる初期値用乱数１２ｂ１を更新しＲＡＭ１２ｂに記憶する。初期値用乱数１２ｂ１としては、例えば、下限値と上限値の間で、定められた更新値ずつ順次更新（カウント）されるカウント値が用いられる。初期値用乱数更新手段１１Ａおよび初期値用乱数１２ｂ１は、初期値の更新処理が必要な判定用乱数に対応して設けられる。例えば、大当たり遊技状態を発生させるか否かを決定する（抽選する）ための大当たり判定用乱数に対応する大当たり初期値用乱数および大当たり初期値用乱数更新手段や、当たり図柄を決定する（抽選する）ための当たり図柄判定用乱数に対応する当たり図柄初期値用乱数および当たり図柄初期値用乱数更新手段等が設けられる。
【００２１】
判定用乱数更新手段１１Ｂは、抽選を行う際に用いられる判定用乱数１２ｂ２を更新しＲＡＭ１２ｂに記憶する。判定用乱数１２ｂ２としては、例えば、下限値と上限値の間で、定められた更新値ずつ順次更新（カウント）されるカウント値が用いられる。判定用乱数更新手段１１Ｂは、初期値から下限値と上限値の間の１周期（１サイクル）に亘って更新した後、初期値用乱数１２ｂ１を読み取り、読み取った初期値用乱数１２ｂ１から次の周期の（サイクル）の更新を開始する。これにより、判定用乱数１２ｂ２が設定値（当たり値）と一致する時期を予測するのが困難となり、不正な遊技を防止することができる。判定用乱数としては、抽選を行う対象毎に設けられる。例えば、大当たり遊技を発生させるか否かを決定する（抽選する）ために用いられる大当たり判定用乱数、装飾図柄表示装置３５に装飾図柄を変動表示する際の変動パターンを決定する（抽選する）ために用いられる変動パターン判定用乱数（当たり変動パターン判定用乱数やはずれ変動パターン判定用乱数）、停止図柄を決定する（抽選する）ために用いられる図柄判定用乱数（当たり図柄判定用乱数やはずれ図柄判定用乱数）等が用いられる。
【００２２】
入力手段１１Ｃは、各種の入力信号を判別する。
判定用乱数取得手段１１Ｄは、抽選条件が成立した場合に、判定用乱数を取得する。判定用乱数取得手段１１Ｄは、抽選対象に対応する判定用乱数を取得する。例えば、大当たり遊技状態を発生させるか否かを抽選するための大当たり判定用乱数、変動パターンを抽選するための変動パターン判定用乱数（当たり変動パターン判定用乱数やはずれ変動パターン判定用乱数）、停止図柄を抽選するための図柄判定用乱数（当たり図柄判定用乱数やはずれ図柄判定用乱数）等の判定用乱数を取得する。
「抽選条件」としては、種々の条件を用いることができる。例えば、遊技球が始動入賞口に入球したことを示す始動入賞球検出信号が入力された条件が用いられる。
【００２３】
保留情報処理手段１１Ｅは、保留情報１２ｂ３をＲＡＭ１２ｂを記憶する処理、また、保留情報１２ｂ３をＲＡＭ１２ｂから読み出す処理を行う。例えば、保留情報記憶条件が満足されている場合には、取得した判定用乱数を含む保留情報１２ｂ３をＲＡＭ１２ｂに記憶する。この時、保留数を「１」加算する。また、保留情報消化条件が満足されている場合には、ＲＡＭ１２ｂに記憶されている保留情報１２ｂ３を読み出す。この時、保留数を「１」減算する。
「保留情報記憶条件」および「保留情報消化条件」としては、種々の条件を用いることができる。例えば、「保留情報記憶条件」として、保留数が設定数（通常「４」）に達していない条件（保留数≦３）が用いられ、「保留情報消化条件」として、抽選結果および大当たり遊技中であることが報知されていない条件が用いられる。あるいは、「保留情報記憶条件」として、抽選結果あるいは大当たり遊技中であることが報知されているとともに、保留数が設定数に達していない（保留数≦３）条件が用いられ、「保留情報消化条件」として、抽選結果および大当たり遊技中であることが報知されていない条件が用いられる。
なお、保留情報処理手段１１Ｅは、ＲＡＭ１２ｂに記憶されている保留情報１２ｂ３の数（保留数）に基づいて、副制御回路２１に出力する主制御信号１２ｂ４を作成しＲＡＭ１２ｂに記憶する。例えば、保留数を示す保留数報知用主コマンド信号を主制御信号１２ｂ４としてＲＡＭ１２ｂに記憶する。保留数報知用主コマンド信号としては、保留数の総数を示す保留数報知用主コマンド信号を用いることもできるし、保留数が「１」増加したことあるいは「１」減少したことを示す保留数報知用主コマンド信号を用いることもできる。
【００２４】
抽選手段１１Ｆは、判定用乱数を用いて抽選を行う。例えば、判定用乱数とＲＯＭ１２ａに記憶されている設定値（当たり値）１２ａ１とを比較し、判定用乱数が設定値（当たり値）１２ａ１と一致する場合には抽選結果が当たりであることを判定し、一致しない場合には抽選結果がはずれであることを判定する。
例えば、抽選手段１１Ｆは、大当たり判定用乱数と設定値（大当たり値）を比較する。大当たり判定用乱数が大当たり値と一致した場合には、大当たり遊技に関する抽選結果が当たりであることを判定し、大当たり遊技状態を発生させることを決定する。そして、当たり図柄判定用乱数と設定値（当たり図柄値）とを比較する。当たり図柄判定用乱数が当たり図柄値と一致した場合には、大当たり遊技状態を発生させた後、高確率遊技状態（抽選結果が当たりとなる確率が通常時より高い状態）を発生させることを決定する。当たり図柄判定用乱数が当たり図柄値と一致しなかった場合には、大当たり遊技状態のみを発生させることを決定する。一方、大当たり判定用乱数が大当たり値と一致しない場合には、大当たり遊技に関する抽選がはずれであることを判定する。
なお、抽選手段１１Ｆは、抽選結果に基づいて種々の主制御信号１２ｂ４をＲＡＭ１２ｂに記憶する。例えば、副制御回路３１に出力する抽選結果報知用主コマンド信号を主制御信号１２ｂ４としてＲＡＭ１２ｂに記憶する。また、表示装置駆動装置１３に出力する特別図柄用表示制御信号を主制御信号１２ｂ４としてＲＡＭ１２ｂに記憶する。また、抽選結果が当たりである場合には、遊技者に有利な遊技状態を発生させるための主制御信号１２ｂ４をＲＡＭ１２ｂに記憶する。例えば、大入賞口開閉部材を駆動する大入賞口開閉部材駆動回路に出力する大入賞口開閉部材用主制御信号、副制御回路３１に出力する大当たり遊技報知用主コマンド信号を主制御信号１２ｂ４としてＲＡＭ１２ｂに記憶する。
なお、複数の主制御信号１２ｂ４をＲＡＭ１２ｂに記憶する場合には、主制御信号１２ｂ４の出力順序を判別可能に記憶する。例えば、抽選結果報知用主コマンド信号に関しては、変動表示開始用主コマンド信号、変動パターン用主コマンド信号、図柄用主コマンド信号、変動表示終了用主コマンド信号の出力順序を判別可能に記憶する。
出力手段１１Ｇは、ＲＡＭ１２ｂに記憶されている主制御信号１２ｂ４の出力処理を実行する。
【００２５】
主制御回路１１による抽選処理を、図４に示すフローチャートを用いて説明する。図４に示されている抽選処理は、入力手段１１Ｃ、判定用乱数取得手段１１Ｄ、保留情報処理手段１１Ｅ、抽選手段１１Ｆによって実行される。
ステップＡ１では、遊技球が始動入賞口に入球したことを示す始動入賞球検出信号が入力されたか否か（抽選条件が成立したか否か）を判断する。始動入賞球検出信号が入力された場合（抽選条件が成立した場合）にはステップＡ２に進み、始動入賞球検出信号が入力されない場合（抽選条件が成立しない場合）にはステップＡ５に進む、
ステップＡ２では、保留情報１２ｂ３の数（保留数）が設定数「４」に達しているか否か（［保留数≦３］であるか否か）を判断する。保留数が設定数「４」に達していない場合（保留数≦３）にはステップＡ３に進み、保留数が設定数「４」に達している場合（保留数＞３）には処理を終了する。
本実施の形態では、「保留数が設定数に達していない」条件が本発明の「保留情報記憶条件」に対応する。
ステップＡ３では、判定用乱数を取得し、取得した判定用乱数を含む保留情報１２ｂ３をＲＡＭ１２ｂに記憶する。そして、保留数に「１」を加算する。保留情報１２ｂ３は、順に記憶される。すなわち、先頭から、記憶時期の順に記憶される。
ステップＡ４では、保留数を示す保留数報知用主コマンド信号を作成し、主制御信号１２ｂ４としてＲＡＭ１２ｂに記憶する。
【００２６】
ステップＡ５では、保留情報１２ｂ３がＲＡＭ１２ｂに記憶されているか否かを判断する。保留情報１２ｂ３がＲＡＭ１２ｂに記憶されている場合にはステップＡ６に進み、保留情報１２ｂ３がＲＡＭ１２ｂに記憶されていない場合には処理を終了する。
ステップＡ６では、保留情報消化条件が満足されているか否かを判断する。保留情報消化条件としては、例えば、抽選結果の報知および大当たり遊技中であることの報知が行われていない条件が用いられる。保留情報消化条件が満足されている場合にはステップＡ７に進み、保留情報消化条件が満足されていない場合には処理を終了する。
ステップＡ７では、ＲＭ１２ｂに記憶されている保留情報１２ｂ３の中から先頭の保留情報（記憶時期が最も古い保留情報）を読み出す。そして、読み出した保留情報に含まれている判定用乱数を用いて抽選を行う。また、保留数から「１」を減算する。この時、読み出されてない保留情報を先頭の方向にシフトする。これにより、読み出された保留情報は消去される。
ステップＡ８では、保留数を示す保留数報知用主コマンド信号を作成し、主制御信号１２ｂ４としてＲＡＭ１２ｂに記憶する。
ステップＡ９では、抽選結果に基づいて主制御信号１２ｂ４を作成しＲＡＭ１２ｂに記憶する。
その後処理を終了する。
【００２７】
なお、抽選処理は、図４のフローチャートで示される処理に限定されない。例えば、以下のような抽選処理を用いることができる。
抽選条件が成立した場合には、判定用乱数を取得し、取得した判定用乱数を用いて抽選を行う。この時、抽選結果に基づいて種々の主制御信号１２ｂ４を作成しＲＡＭ１２ｂに記憶する。「抽選条件」としては、始動入賞球検出信号が入力された条件を用いることができる。
一方、保留情報記憶条件が満足されている状態で抽選条件が成立した場合には、判定用乱数を取得し、取得した判定用乱数を含む保留情報１２ｂ３をＲＡＭ１２ｂに記憶する。この時、保留数に「１」を加算して保留数報知用主コマンド信号を作成し、主制御信号１２ｂ４としてＲＡＭ１２ｂに記憶する。「保留情報記憶条件」としては、抽選結果の報知あるいは大当たり遊技中であることの報知が行われているとともに、保留数が設定数に達していない（保留数≦３）条件を用いることができる。
そして、保留情報消化条件が満足された場合に、保留情報１２ｂ３をＲＡＭ１２ｂから読み出し、読み出した保留情報１２ｂ３に含まれている判定用乱数を用いて抽選を行う。この時、保留数から「１」を減算して保留数報知用主コマンド信号を作成し、主制御信号１２ｂ４としてＲＡＭ１２ｂに記憶する。また、抽選結果に基づいて種々の主制御信号１２ｂ４を作成しＲＡＭ１２ｂに記憶する。「抽選情報消化条件」としては、抽選結果の報知および大当たり遊技中であることの報知が行われていない条件を用いることができる。
【００２８】
主制御回路１１による主制御信号の出力処理を、図５に示すフローチャートを用いて説明する。図５に示されている出力処理は、出力手段１１Ｇによって実行される。なお、図５は、主制御回路１１から副制御回路２１に抽選結果報知用主制御信号（抽選結果報知用主コマンド信号）、大当たり遊技報知用主制御信号（大当たり遊技報知用主コマンド信号）、保留数報知用主制御信号（保留数報知用主コマンド信号）を出力する場合の処理のみを示している。
ステップＢ１では、ＲＡＭ１２ｂに記憶されている先頭の主制御信号１２ｂ４が抽選結果報知用主制御信号（抽選結果報知用主コマンド信号）であるか否かを判断する。例えば、変動表示開始用主コマンド信号、変動パターン用主コマンド信号、図柄用主コマンド信号、変動表示停止用主コマンド信号であるか否かを判断する。抽選結果報知用主制御信号である場合にはステップＢ２に進み、抽選結果報知用主制御信号でない場合にはステップＢ４に進む。
ステップＢ２では、抽選結果報知用主制御信号の出力タイミングであるか否かを判断する。例えば、変動表示開始用主コマンド信号、変動パターン用主コマンド信号、図柄用主コマンド信号、変動表示停止用主コマンド信号それぞれの出力タイミングであるか否かを判断する。通常、変動パターン用主コマンド信号、図柄用主コマンド信号は変動表示開始用主コマンド信号に続けて出力され、変動表示停止用主コマンド信号は、変動表示開始用主コマンド信号が出力された後、変動パターン用主コマンド信号で示される変動パターン判定用乱数に対応する変動パターンの変動表示時間が経過した時点で出力される。抽選結果報知用主制御信号の出力タイミングである場合にはステップＢ３に進み、出力タイミングでない場合には処理を終了する。
ステップＢ３では、出力タイミングに達した抽選結果報知用主制御信号を副制御回路２１に出力した後処理を終了する。
【００２９】
ステップＢ４では、ＲＡＭ１２ｂに記憶されている先頭の主制御信号１２ｂ４が大当たり遊技報知用主制御信号（大当たり遊技報知用主コマンド信号）であるか否かを判断する。例えば、大当たり遊技報知開始用主コマンド信号、大当たり遊技報知終了用主コマンド信号であるか否かを判断する。大当たり遊技報知用主制御信号である場合にはステップＢ５に進み、大当たり遊技報知用主制御信号でない場合にはステップＢ７に進む。
ステップＢ５では、大当たり遊技報知用主制御信号の出力タイミングであるか否かを判断する。例えば、大当たり遊技報知開始用主コマンド信号、大当たり遊技報知終了用主コマンド信号それぞれの出力タイミングであるか否かを判断する。通常は、大当たり遊技報知開始用主コマンド信号は、変動表示停止用主コマンド信号が出力された後に出力され、大当たり遊技報知終了用主コマンド信号は、大当たり遊技報知開始用主コマンド信号が出力されてから（大当たり遊技状態が発生してから）遊技球が大入賞口に設定個数入球した時点あるいは大当たり遊技報知開始用主コマンド信号が出力されてから（大当たり遊技状態が発生してから）設定期間経過した時点で出力される。大当たり遊技報知用主制御信号の出力タイミングである場合にはステップＢ６に進み、出力タイミングでない場合には処理を終了する。
ステップＢ６では、出力タイミングに達した大当たり遊技報知用主制御信号を副制御回路２１に出力した後処理を終了する。
【００３０】
ステップＢ７では、ＲＡＭ１２ｂに記憶されている先頭の主制御信号１２ｂ４が保留数報知用主制御信号（保留数報知用主コマンド信号）であるか否かを判断する。保留数報知用主制御信号である場合にはステップＢ８に進み、保留数報知用主制御信号でない場合には処理を終了する。
ステップＢ８では、保留情数報知用主制御信号１２ｂ４の出力タイミングであるか否かを判断する。保留数報知用主制御信号の出力タイミングである場合にはステップＢ９に進み、出力タイミングでない場合には処理を終了する。
ステップＢ９では、保留数報知用主制御信号を副制御回路２１に出力した後処理を終了する。
【００３１】
第１の仕様のパチンコ機の副制御回路用処理リストの一例を図６に示す。
図６に示す副制御回路用処理リストには、主制御回路１１から副制御回路２１に出力される副制御用主制御信号（副制御用主コマンド信号）と、当該副制御用主制御信号に対応する副制御回路２１の処理内容が書き込まれている。
例えば、抽選結果報知用主制御信号（抽選結果報知用主コマンド信号）に対して、抽選結果報知用主制御信号に対応する抽選結果報知用副制御信号（抽選結果報知用副コマンド信号）を表示制御回路２１に出力し、抽選結果報知用主制御信号に対応する音用副制御信号を音源ＩＣ２３に出力するとともに、抽選結果報知用主制御信号に対応する装飾ランプ用副制御信号を装飾ランプ制御回路５１に出力する処理内容が書き込まれている。
また、大当たり遊技報知用主制御信号（大当たり報知用主コマンド信号）に対して、大当たり遊技報知用主制御信号に対応する大当たり遊技報知用副制御信号（大当たり遊技報知用副コマンド信号）を表示制御回路２１に出力し、大当たり遊技報知用主制御信号に対応する音用副制御信号を音源ＩＣ２３に出力するとともに、大当たり遊技報知用主制御信号に対応する装飾ランプ用副制御信号を装飾ランプ制御回路５１に出力する処理内容が書き込まれている。
また、保留数報知用主制御信号（保留数報知用主コマンド信号）に対して、副制御回路２１の処理内容が書き込まれている。本実施の形態では、保留数報知用主制御信号に対して、保留数報知用主制御信号に対応する保留数報知用副制御信号（保留数報知用副コマンド信号）を出力する処理内容が書き込まれている。さらに、第１の仕様では、保留ランプ６５Ａ〜６５Ｄを用いて保留数を報知する。このため、保留数報知用主制御信号に対して、保留数報知用主制御信号に対応する保留ランプ用副制御信号を保留ランプ制御回路６１に出力する処理内容が書き込まれている。
【００３２】
第１の仕様のパチンコ機の副制御回路２１の処理を、図７に示すフローチャートを用いて説明する。
ステップＣ１では、主制御回路１１から出力された副制御用主制御信号（副制御用主コマンド信号）が入力されたか否かを判断する。副制御用主制御信号が入力された場合にはステップＣ２に進み、副制御用主制御信号が入力されていない場合には処理を終了する。
ステップＣ２では、入力された副制御用主制御信号が抽選結果報知用主制御信号（抽選結果報知用主コマンド信号）であるか否かを判断する。例えば、変動表示開始用主コマンド信号、変動パターン用主コマンド信号、図柄用主コマンド信号、変動表示停止用主コマンド信号のいずれかである否かを判断する。入力された副制御用主制御信号が抽選結果報知用主制御信号である場合にはステップＣ３に進み、抽選結果報知用主制御信号でない場合にはステップＣ５に進む。
ステップＣ３では、入力された抽選結果報知用主制御信号に対応する抽選結果報知用副制御信号（抽選結果報知用副コマンド信号）を表示制御回路３１に出力する。例えば、変動パターン用主コマンド信号（当たり変動パターン用主コマンド信号あるいははずれ変動パターン用主コマンド信号）で示される変動パターン判定用乱数（当たり変動パターン判定用乱数あるいははずれ変動パターン判定用乱数）に対応する変動パターン（当たり変動パターンあるいははずれ変動パターン）を示す変動パターン用副コマンド信号、図柄用主コマンド信号（当たり図柄用主コマンド信号あるいははずれ図柄用主コマンド信号）で示される図柄判定用乱数（当たり図柄判定用乱数あるいははずれ図柄判定用乱数）に対応する図柄（当たり図柄あるいははずれ図柄）を示す図柄用副コマンド信号を表示制御回路３１に出力する。
ステップＣ４では、入力され抽選結果報知用主制御信号に対応する音用副制御信号を音源ＩＣ２３に出力し、抽選結果報知用主制御信号に対応する装飾ランプ用副制御信号を装飾ランプ制御回路５１に出力する。
【００３３】
ステップＣ５では、入力された副制御用主制御信号が大当たり遊技報知用主制御信号（大当たり遊技報知用主コマンド信号）であるか否かを判断する。例えば、大当たり遊技報知開始用主コマンド信号あるいは大当たり遊技報知終了用主コマンド信号であるか否かを判断する。入力された副制御用主制御信号が大当たり遊技報知用主制御信号である場合にはステップＣ６に進み、大当たり遊技報知用主制御信号でない場合にはステップＣ８に進む。
ステップＣ６では、入力された大当たり遊技報知用主制御信号に対応する大当たり遊技報知用副制御信号（大当たり遊技報知用副コマンド信号）を表示制御回路３１に出力する。
ステップＣ７では、入力された大当たり遊技報知用主制御信号に対応する音用副制御信号を音源ＩＣ２３に出力し、大当たり遊技報知用主制御信号に対応する装飾ランプ用副制御信号を装飾ランプ制御回路５１に出力する。
【００３４】
ステップＣ８では、入力された副制御用主制御信号が保留数報知用主制御信号（保留数報知用主コマンド信号）であるか否かを判断する。入力された副制御用主制御信号が保留数報知用主制御信号である場合にはステップＣ９に進み、保留数報知用主制御信号でない場合には処理を終了する。
ステップＣ９では、入力された保留数報知用主制御信号に対応する保留数報知用副制御信号（保留数報知用副コマンド信号）を表示制御回路３１に出力する。例えば、保留数報知用主コマンド信号で示されている保留数を示す保留数報知用副コマンド信号を出力する。
第１の仕様では、保留ランプ６５Ａ〜６５Ｄを用いて保留数を報知するため、副制御回路用処理リスト（図６参照）には、保留数報知用主制御信号に対して、保留数報知用主制御信号に対応する保留ランプ用副制御信号を出力する処理内容が書き込まれている。このため、ステップＣ１０では、入力された保留数報知用主制御信号に対応する保留ランプ用副制御信号を出力する。例えば、入力された保留数報知用主コマンド信号で示される保留数を保留ランプ６５Ａ〜６５Ｄを用いて報知するための保留ランプ用副コマンド信号を、保留ランプ用副制御信号出力端子（保留ランプ用副コマンド信号出力端子）２１ｆから出力する。第１の仕様では、保留ランプ６５Ａ〜６５Ｄを用いて保留数を報知するため、副制御回路２１の保留ランプ用副制御信号出力端子（保留ランプ用副コマンド信号出力端子）２１ｆと副制御基板２０の保留ランプ用副制御信号出力端子（保留ランプ用副コマンド信号出力端子）２０ｅが配線パターンによって接続されているとともに、副制御基板２０の保留ランプ用副制御信号出力端子（保留ランプ用副コマンド信号出力端子）２０ｅに保留ランプ駆動基板６０の副制御信号入力端子（副コマンド信号入力端子）６０ａが接続されている。これにより、保留ランプ制御回路６１は、保留数報知用副コマンド信号で示される保留数が保留ランプ６５Ａ〜６５Ｄによって報知されるように、保留ランプ６５Ａ〜６５ｄを駆動する。
その後処理を終了する。
【００３５】
第１の仕様のパチンコ機の表示制御回路用処理リストの一例を図８に示す。
図８に示す表示制御回路用処理リストには、副制御回路２１から表示制御回路３１に出力される表示用副制御信号（表示用副コマンド信号）と、当該表示用副制御信号に対応する表示制御回路３１の処理内容が書き込まれている。
例えば、抽選結果報知用副制御信号（抽選結果報知用副コマンド信号）に対して、抽選結果報知用副制御信号に対応する表示制御信号を表示装置駆動装置４０に出力する処理内容が書き込まれている。
また、大当たり遊技報知用副制御信号（大当たり報知用副コマンド信号）に対して、大当たり遊技報知用副制御信号に対応する表示制御信号を表示装置駆動装置４０に出力する処理内容が書き込まれている。
また、保留数報知用副制御信号（保留数報知用副コマンド信号）に対して、表示制御回路３１の処理内容が書き込まれている。本実施の形態では、副制御回路２１は、保留数報知用主制御信号（保留数報知用主コマンド信号）に対応する保留数報知用副制御信号（保留数報知用副コマンド信号）を表示制御回路３１に出力するように構成されている。さらに、第１の仕様では、保留ランプ６５Ａ〜６５Ｄを用いて保留数を報知し、装飾図柄表示装置３５を用いて保留数を表示しない。このため、保留数報知用副制御信号に対して、保留数報知用副制御信号に対応する表示制御信号を出力しないで次のステップに進む処理内容が書き込まれている。
【００３６】
第１の仕様のパチンコ機の表示制御回路３１の処理を、図９に示すフローチャートを用いて説明する。
ステップＤ１では、副制御回路２１から出力された表示用副制御信号（表示用副コマンド信号）が入力されたか否かを判断する。表示用副制御信号が入力された場合にはステップＤ２に進み、表示用副制御信号が入力されていない場合には処理を終了する。
ステップＤ２では、入力された表示用副制御信号が抽選結果報知用副制御信号（抽選結果報知用副コマンド信号）であるか否かを判断する。入力された表示用副制御信号が抽選結果報知用副制御信号である場合にはステップＤ３に進み、抽選結果報知用副制御信号でない場合にはステップＤ４に進む。
ステップＤ３では、入力された抽選結果報知用副制御信号に対応する表示制御信号を表示装置駆動装置４０に出力した後、処理を終了する。
ステップＤ４では、入力された表示用副制御信号が大当たり遊技報知用副制御信号（大当たり遊技報知用副コマンド信号）であるか否かを判断する。入力された表示用副制御信号が大当たり遊技報知用副制御信号である場合にはステップＤ５に進み、大当たり遊技報知用副制御信号でない場合にはステップＤ６に進む。
ステップＤ５では、入力された大当たり遊技報知用副制御信号に対応する表示制御信号を表示装置駆動装置４０に出力した後、処理を終了する。
ステップＤ６では、入力された表示用副制御信号が保留数報知用副制御信号（保留数報知用副コマンド信号）であるか否かを判断する。入力された表示用副制御信号が保留数報知用副制御信号である場合にはステップＤ７に進み、保留数報知用副制御信号でない場合には処理を終了する。
第１の仕様のパチンコ機では、保留数を保留ランプ６５Ａ〜６５Ｄを用いて報知し、装飾図柄表示装置３５を用いて報知しないため、表示制御回路用処理リスト（図８参照）には、保留数報知用副制御信号に対して、保留数報知用副制御信号に対応する表示制御信号を出力しない処理内容が書き込まれている。このため、ステップＤ７では、入力された保留数報知用副制御信号に対応する表示制御信号を出力しないで次のステップに進み、処理を終了する。
【００３７】
次に、保留数を装飾図柄表示装置３５を用いて報知する第２の仕様のパチンコ機の概略構成図を、図１０に参照して説明する。
第２の仕様のパチンコ機は、主制御基板１０、副制御基板１２０、表示制御基板３０、装飾ランプ駆動基板５０等の基板を有している。また、特別図柄表示装置１５、装飾図柄表示装置３５、装飾ランプ５５Ａ〜５５Ｍを有している。第２の仕様のパチンコ機は、保留ランプ６５Ａ〜６５Ｄおよび保留ランプ駆動基板５０が用いられていない点、また、副制御基板２０に替えて副制御基板１２０を用いている点が第１の仕様のパチンコ機と異なっている。したがって、以下では、副制御基板１２０の構成についてのみ説明する。
副制御基板１２０には、副制御回路２１、ＲＯＭやＲＡＭを含む記憶回路（副制御用記憶回路）２２、音源ＩＣ２３等が配設されている。
第１の仕様と第２の仕様では、共通の副制御回路２１を用いている。すなわち、第２の仕様においても、第１の仕様と同様に、主制御信号入力端子２１ａ、記憶装置接続端子２１ｂ、表示用副制御信号出力端子２１ｃ、音用副制御信号出力端子２１ｄ、装飾ランプ用副制御信号出力端子２１ｅ、保留ランプ用副制御信号出力端子２１ｆを有する副制御回路２１が用いられている。
また、第２の仕様では、保留ランプおよび保留ランプ駆動基板が用いられていない。通常、遊技機では、不正遊技防止の観点から基板に空き端子が設けられないように構成される。このため、第２の仕様では、図１０に示すように、主制御信号入力端子１２０ａ、表示用副制御信号出力端子１２０ｂ、音用駆動信号出力端子１２０ｃ、装飾ランプ用副制御信号出力端子１２０ｄを有しているが、保留ランプ用副制御信号出力端子を有していない副制御基板１２０が用いられている。そして、副制御回路２１の保留ランプ用副制御信号出力端子２１ｆは開放状態に設定されている。
【００３８】
なお、第２の仕様では、副制御回路２１の保留ランプ用副制御信号出力端子２１ｆが開放状態に設定されているため、保留ランプ用副制御信号出力端子２１ｆから保留ランプ用副制御信号が出力されるように設定してもよいし、保留ランプ用副制御信号出力端子２１ｆから保留ランプ用副制御信号が出力されないように設定することもできる。
保留ランプ用副制御信号出力端子２１ｆから保留ランプ用副制御信号が出力されるように設定する方法としては、第１の仕様のパチンコ機と同様の方法を用いることができる。例えば、副制御回路用処理リストに、保留数報知用主制御信号に対して、保留数報知用主制御信号に対応する保留ランプ用副制御信号を出力する処理内容を書き込む方法を用いることができる。
一方、保留ランプ用副制御信号出力端子２１ｆから保留ランプ用副制御信号が出力されないように設定する方法としては、例えば、副制御回路用処理リストに、保留数報知用主制御信号に対して、保留数報知用主制御信号に対応する保留ランプ用副制御信号を出力しない処理内容を書き込む方法を用いることができる。
【００３９】
第２の仕様であって、副制御回路２１の保留ランプ用副制御信号出力端子２１ｆから保留ランプ用副制御信号が出力されないように設定されたパチンコ機の副制御回路用処理リストの一例を図１１に示す。
図１１に示す副制御回路用処理リストには、主制御回路１１から副制御回路２１に出力される主制御信号（副制御用主コマンド信号）に対応する副制御回路２１の処理内容が書き込まれている。
抽選結果報知用主制御信号（抽選結果報知用主コマンド信号）および大当たり遊技報知用主制御信号（大当たり遊技報知用主コマンド信号）に対して、図６に示した処理内容と同様の処理内容が書き込まれている。
また、保留数報知用主制御信号（保留数報知用主コマンド信号）に対して、副制御回路２１の処理内容が書き込まれている。本実施の形態では、保留数報知用主制御信号に対して、保留数報知用主制御信号に対応する保留数報知用副制御信号（保留数報知用副コマンド信号）を出力する処理内容が書き込まれている。さらに、第２の仕様では、装飾図柄表示装置３５を用いて保留数を報知する。また、保留ランプ用副制御信号を出力しないため、保留数報知用主制御信号に対して、保留数報知用主制御信号に対応する保留ランプ用副制御信号を出力しないで、次のステップに進む処理内容が書き込まれている。
【００４０】
第２の仕様であって、副制御回路２１の保留ランプ用副制御信号出力端子２１ｆから保留ランプ用副制御信号が出力されないように設定されたパチンコ機の副制御回路の処理を、図１２に示すフローチャート用いて説明する。
ステップＥ１〜Ｅ７では、図７に示すステップＣ１〜Ｃ７と同様の処理を実行する。
ステップＥ８では、入力された副制御用主制御信号が保留数報知用主制御信号（保留数報知用主コマンド信号）であるか否かを判断する。入力された副制御用主制御信号が保留数報知用主制御信号である場合にはステップＥ９に進み、保留数報知用主制御信号でない場合には処理を終了する。
ステップＥ９では、入力された保留数報知用主制御信号に対応する保留数報知用副制御信号（保留数報知用副コマンド信号）を表示制御回路３１に出力する。
第２の仕様では、装飾図柄表示装置３５を用いて保留数を報知する。また、保留ランプ用副制御信号を出力しないため、副制御回路用処理リスト（図１１参照）には、保留数報知用主制御信号に対して、保留数報知用主制御信号に対応する保留ランプ用副制御信号を出力しない処理内容が書き込まれている。このため、ステップＥ１０では、入力された保留数報知用主制御信号に対応する保留ランプ用副制御信号を出力しないで次のステップに進み、処理を終了する。
【００４１】
第２の仕様であって、副制御回路２１の保留ランプ用副制御信号出力端子２１ｆから保留ランプ用副制御信号が出力されないように設定されたパチンコ機の表示制御回路用処理リストの一例を図１３に示す。
図１３に示す表示制御回路用処理リストには、副制御回路２１から表示制御回路３１に出力される副制御信号（表示用副コマンド信号）と、当該副制御信号に対応する表示制御回路３１の処理内容が書き込まれている。
抽選結果報知用副制御信号（抽選結果報知用副コマンド信号）および大当たり遊技報知用副制御信号（大当たり遊技報知用副コマンド信号）に対して、図８に示した処理内容と同様の処理内容が書き込まれている。
また、保留数報知用副制御信号（保留数報知用副コマンド信号）に対して、表示制御回路３１の処理内容が書き込まれている。本実施の形態では、副制御回路２１は、保留数報知用主制御信号（保留数報知用主コマンド信号）に対応する保留数報知用副制御信号（保留数報知用副コマンド信号）を表示制御回路３１に出力するように構成されている。さらに、第２の仕様では、装飾図柄表示装置３５を用いて保留数を報知する。このため、保留数報知用副制御信号に対して、保留数報知用副制御信号に対応する表示制御信号を出力する処理内容が書き込まれている。
【００４２】
第２の仕様であって、副制御回路２１の保留ランプ用副制御信号出力端子２１ｆから保留ランプ用副制御信号が出力されないように設定されたパチンコ機の表示制御回路３１の処理を、図１４に示すフローチャートを用いて説明する。
ステップＦ１〜Ｆ５では、図９に示すステップＤ１〜Ｄ５と同様の処理を実行する。
ステップＦ６では、入力された表示用副制御信号が保留数報知用副制御信号（保留数報知用副コマンド信号）であるか否かを判断する。入力された表示用副制御信号が保留数報知用副制御信号である場合にはステップＦ７に進み、保留数報知用副制御信号でない場合には処理を終了する。
第２の仕様のパチンコ機では、装飾図柄表示装置３５を用いて保留数を報知するため、表示制御回路用処理リスト（図１３参照）には、保留数報知用副制御信号に対して、保留数報知用副制御信号に対応する表示制御信号を出力する処理内容が書き込まれている。このため、ステップＦ７では、入力された保留数報知用副制御信号に対応する表示制御信号を出力する。
その後、処理を終了する。
【００４３】
第２の仕様では、保留ランプ用副制御信号出力端子を有していない副制御基板１２０を用い、副制御回路２１の保留ランプ用副制御信号出力端子を開放状態に設定したが、保留ランプ用副制御信号出力端子を有する副制御基板を用いながら、空き端子を発生させることなく、装飾図柄表示装置を用いて保留数を報知することもできる。
制御回路および副制御基板を兼用化しながら、装飾図柄表示装置を用いて保留数を報知する第３の仕様のパチンコ機の概略構成図を、図１５を参照して説明する。
第３の仕様のパチンコ機では、副制御回路は、保留数報知用主制御信号に対応する保留数報知用副制御信号を表示制御回路に出力するとともに、保留数報知用主制御信号に対応する補助ランプ用副制御信号を出力するように設定される。表示制御回路は、保留数報知用副制御信号に対応する表示制御信号を出力するように設定される。
【００４４】
第３の仕様のパチンコ機は、主制御基板１０、副制御基板２０、表示制御基板３０、装飾ランプ駆動基板５０、補助ランプ駆動基板１６０等の基板を有している。また、特別図柄表示装置１５、装飾図柄表示装置３５、スピーカ２５、装飾ランプ５５Ａ〜５５Ｍ、Ｎ個の補助ランプ１６５Ａ〜１６５Ｎ等を有している。補助ランプ１６５Ａ〜１６５Ｎとしては、ＬＥＤや白熱電球等が用いられる。
第３の仕様のパチンコ機では、保留ランプ６５Ａ〜６５Ｄおよび保留ランプ駆動基板６０に替えて補助ランプ１６５Ａ〜１６５Ｎおよび補助ランプ駆動基板１６０が設けられ、副制御回路２１の保留ランプ用副制御信号出力端子２１ｆから補助ランプ１６５Ａ〜１６５Ｎを制御するための補助ランプ用副制御信号を出力するように設定されている点が、図２に示した第１の仕様のパチンコ機と異なっている。
したがって、以下では、補助ランプ駆動基板１６０と、副制御回路２１の構成のみを説明する。
【００４５】
副制御基板２０には、副制御回路２１、ＲＯＭやＲＡＭを含む記憶回路（副制御用記憶回路）２２、音源ＩＣ２３等が配設されている。
第３の仕様のパチンコ機では、第１の仕様のパチンコ機と同様に、主制御信号入力端子（主コマンド信号入力端子）２１ａ、記憶装置接続端子２１ｂ、表示用副制御信号出力端子（表示用副コマンド信号出力端子）２１ｃ、音用副制御信号出力端子２１ｄ、装飾ランプ用副制御信号出力端子２１ｅ、保留ランプ用副制御信号出力端子２１ｆを有する副制御回路２１が用いられている。
記憶回路２２には、制御プログラム、主制御回路１１から出力される副制御用主制御信号（副制御用主コマンド信号）と、当該副制御用主制御信号に対応する副制御回路２１の処理内容が書き込まれている副制御回路用処理リスト等が記憶されている。第３の仕様のパチンコ機では、副制御回路２１は、保留数報知用主制御信号（保留数報知用主コマンド信号）に対して、保留数報知用主制御信号に対応する補助ランプ用副制御信号を出力する。このため、記憶回路２２に記憶されている副制御回路用処理リストには、保留数報知用主制御信号に対して、保留数報知用主制御信号に対応して補助ランプ１６５Ａ〜１６５Ｎを制御するための補助ランプ用副制御信号を出力する処理内容が書き込まれる。本実施の形態では、保留数報知用主制御信号（保留数報知用主コマンド信号）に対応する補助ランプ１６５Ａ〜１６５Ｎの駆動パターンを示す補助ランプ用副コマンド信号を補助ランプ用副制御信号として出力する処理内容が書き込まれている。
【００４６】
補助ランプ駆動基板１６０には、補助ランプ制御回路１６１、ＲＯＭやＲＡＭ等の記憶回路（補助ランプ用記憶回路）１６２が配設されている。補助ランプ駆動基板１６０の補助ランプ駆動信号出力端子１６０Ａ〜１６０Ｎそれぞれには、駆動素子（補助ランプ駆動素子）１６３Ａ〜１６３Ｎが接続されているとともに、補助ランプ１６５Ａ〜１６５Ｎが接続される。駆動素子１６３Ａ〜１６３Ｎの制御端子は、それぞれ補助ランプ制御回路１６１の補助ランプ制御信号出力端子１６１Ａ〜１６１Ｎに接続されている。
記憶回路１６２には、副制御回路２１から出力される補助ランプ用副制御信号（本実施の形態では、補助ランプ用副コマンド信号）に対応する補助ランプ制御回路１６１の処理内容が書き込まれている補助ランプ制御回路用処理リストが記憶されている。例えば、副制御回路２１から出力される補助ランプ用副コマンド信号に対応する補助ランプ制御信号出力端子１６１Ａ〜１６１Ｎからの補助ランプ制御信号の出力パターン（補助ランプ１６５Ａ〜１６５Ｎの駆動パターン）が書き込まれている。
補助ランプ制御回路１６１は、副制御信号入力端子（副コマンド信号入力端子）１６１ａに入力された補助ランプ用副制御信号（補助ランプ用副コマンド信号）と、記憶回路接続端子１６１ｂに接続されている記憶回路１６２に書き込まれている情報に基づいて補助ランプ制御信号出力端子６１Ａ〜６１Ｄから補助ランプ制御信号を出力し、駆動素子１６３Ａ〜１６３Ｎを制御して補助ランプ１６５Ａ〜１６５Ｎを駆動する。
【００４７】
第３の仕様のパチンコ機の副制御回路用処理リストの一例を図１６に示す。
図１６に示す副制御回路用処理リストには、主制御回路１１から副制御回路２１に出力される副制御横主制御信号（副制御用主コマンド信号）に対応する副制御回路２１の処理内容が書き込まれている。
抽選結果報知用主制御信号（抽選結果報知用主コマンド信号）および大当たり遊技報知用主制御信号（大当たり遊技報知用主コマンド信号）に対して、図６に示した処理内容と同様の処理内容が書き込まれている。
また、保留数報知用主制御信号（保留数報知用主コマンド信号）に対して、副制御回路２１の処理内容が書き込まれている。本実施の形態では、保留数報知用主制御信号に対して、保留数報知用主制御信号に対応する保留数報知用副制御信号（保留数報知用副コマンド信号）を出力する処理内容が書き込まれている。さらに、第３の仕様では、装飾図柄表示装置３５を用いて保留数を報知するとともに、保留ランプ６５Ａ〜６５Ｄに替えて補助ランプ１６５Ａ〜１６５Ｎを用いている。このため、保留数報知用主制御信号に対して、保留数報知用主制御信号に対応する補助ランプ用副制御信号を出力する処理内容が書き込まれている。
第３の仕様のパチンコ機の副制御回路２１は、図１２に示した第２の仕様のフローチャートと、ステップＥ１０の処理を除いて同様の処理を実行する。すなわち、第３の仕様では、ステップＥ１０において、保留数報知用主制御信号に対応する補助ランプ用副制御信号を出力する。
【００４８】
第３の仕様のパチンコ機の表示制御回路用処理リストの一例を図１７に示す。
図１７に示す表示制御回路用処理リストには、副制御回路２１から表示制御回路３１に出力される表示用副制御信号（表示用副コマンド信号）と、当該表示用副制御信号に対応する表示制御回路３１の処理内容が書き込まれている。
第３の仕様では、装飾図柄表示装置３５を用いて保留数を報知する。このため、抽選結果報知用副制御信号（抽選結果報知用副コマンド信号）、大当たり遊技報知用副制御信号（大当たり遊技報知用副コマンド信号）および保留数報知用副制御信号（保留数報知用副コマンド信号）に対して、図８に示した処理内容と同様の処理内容が書き込まれている。
第３の仕様のパチンコ機の表示制御回路２１は、図１４に示した第２の仕様のフローチャートと同様の処理を実行する。
【００４９】
第３の仕様のパチンコ機では、副制御基板２０の保留ランプ用副制御信号出力端子２０ｅに補助ランプ駆動基板１６０を介して補助ランプ１６５Ａ〜１６５Ｎを接続している。このため、保留ランプ６５Ａ〜６５Ｄを用いて保留数を報知する第１の仕様のパチンコ機と同じ副制御回路２１および副制御基板２０を用いることができる。この場合、副制御基板２０に設けられている記憶回路２２の副制御回路用処理リストの保留数報知用主制御信号に対応する副制御回路２１の処理内容を書き替えるのみで、副制御回路２１の保留ランプ用副制御信号出力端子２１ｆから保留数報知用主制御信号に対応する補助ランプ用副制御信号を出力することができる。これにより、パチンコ機をより安価に製造することができる。また、補助ランプ１６５Ａ〜１６５Ｎを用いることにより、演出効果を高めることもできる。
【００５０】
第１の実施の形態では、副制御回路および副制御基板に、装飾ランプ制御回路に装飾ランプ用副コマンド信号を出力するための装飾ランプ用副コマンド信号出力端子を設け、保留ランプ制御回路に保留ランプ用副コマンド信号を出力するための保留ランプ用副コマンド信号出力端子を設け、装飾ランプ用副コマンド信号および保留ランプ用副コマンド信号をパラレル出力する方法を用いたが、装飾ランプ用副制御信号および保留ランプ用副制御信号をシリアル出力する方法を用いることもできる。
副制御回路から装飾ランプ制御回路への装飾ランプ用副制御信号および副制御回路から保留ランプ用制御回路への保留ランプ用副制御信号をシリアル出力するように構成した第２の実施の形態の、第１の仕様（保留ランプを用いて保留数を報知する仕様）のパチンコ機の概略構成を、図１８を参照して説明する。
【００５１】
本実施の形態のパチンコ機は、主制御基板１０、副制御基板２２０、表示制御基板３０、装飾ランプ駆動基板２５０、保留ランプ駆動基板１６０等の基板を有している。また、特別図柄表示装置１５、装飾図柄表示装置３５、装飾ランプ５５Ａ〜５５Ｍ、保留ランプ６５Ａ〜６５Ｄを有している。本実施の形態は、副制御基板２２０、装飾ランプ駆動基板２５０、保留ランプ駆動基板１６０の構成が第１の実施の形態の第１の仕様のパチンコ機と異なっている。したがって、以下では、副制御基板２２０、装飾ランプ駆動基板２５０、保留ランプ駆動基板１６０の構成についてのみ説明する。
【００５２】
副制御基板１２０には、副制御回路２２１、ＲＯＭやＲＡＭを含む記憶回路（副制御用記憶回路）２２２、音源ＩＣ２２３等が配設されている。
副制御回路２２１は、主制御信号入力端子（主コマンド信号入力端子）２２１ａ、記憶装置接続端子２２１ｂ、表示用副制御信号出力端子（表示用副コマンド信号出力端子）２２１ｃ、音用副制御信号出力端子２２１ｄ、装飾ランプ／保留ランプ用副制御信号出力端子２２１ｅ、ラッチ信号出力端子２２１ｆを有している。副制御回路２２１は、装飾ランプ／保留ランプ用副制御信号出力端子２２１ｅから、装飾ランプ用副制御信号および保留ランプ用副制御信号をシリアル出力する。また、ラッチ信号出力端子２２１ｆからラッチ信号を出力する。
副制御基板２２０は、副制御回路２２１の装飾ランプ／保留ランプ用副制御信号出力端子２２１ｅ、ラッチ信号出力端子２２１ｆに配線パターンで接続されている装飾ランプ／保留ランプ用副制御信号出力端子２２０ｄ、ラッチ信号出力端子２２０ｅを有している。
【００５３】
装飾ランプ駆動基板２５０には、装飾ランプ制御回路２５１が配設されている。
装飾ランプ制御回路２５１は、シリアル信号をパラレル信号に変換するシリアル／パラレル変換回路として動作する。すなわち、副制御信号入力端子２５１ａからシリアルに入力される装飾ランプ／保留ランプ用副制御信号を順次シフトしながら記憶し、ラッチ信号入力端子２５１ｂにラッチ信号が入力されると、その時記憶している装飾ランプ／保留ランプ用副制御信号を装飾ランプ制御信号出力端子２５１Ａ〜２５１Ｍにパラレルに出力する。装飾ランプ制御回路２５１のシフト数を超えてシフトされた副制御信号は、シリアル信号出力端子（「デイジーチェーン端子」と呼ばれる）２５１ｃから出力される。
装飾ランプ駆動基板２５０には、副制御基板２２０の装飾ランプ／保留ランプ用副制御信号出力端子２２０ｄ、ラッチ信号出力端子２２０ｅに接続される副制御信号入力端子２５０ａ、ラッチ信号入力端子２２０ｂ、装飾ランプ５５Ａ〜５５Ｍが接続される装飾ランプ駆動信号出力端子２５０Ａ〜２５０Ｍを有している。また、シリアル信号出力端子（デイジーチェーン端子）２５０ｃ、ラッチ信号出力端子２５０ｄを有している。副制御信号入力端子２５０ａは、装飾ランプ制御回路２５１の副制御信号入力端子２５１ａに接続され、ラッチ信号入力端子２５０ｂは、装飾ランプ制御回路２５１のラッチ信号入力端子２５１ｂおよび装飾ランプ駆動基板２５０のラッチ信号出力端子２５０ｄに接続され、シリアル信号出力端子２５１ｃは、装飾ランプ制御回路２５１のシリアル信号出力端子（デイジーチェーン端子）２５１ｃに接続されている。
【００５４】
保留ランプ駆動基板２６０には、保留ランプ制御回路２６１が配設されている。
保留ランプ制御回路２６１は、装飾ランプ制御回路２５１と同様に、副制御信号入力端子２６１ａからシリアルに入力される副制御信号（装飾ランプ／保留ランプ用副制御信号）を順次シフトしながら記憶し、ラッチ信号入力端子２６１ｂにラッチ信号が入力されると、その時記憶している装飾ランプ／保留ランプ用副制御信号を保留ランプ制御信号出力端子２６１Ａ〜２６１Ｄにパラレルに出力する。
保留ランプ駆動基板２６０には、装飾ランプ駆動基板２５０のシリアル信号出力端子２５０ｃ、ラッチ信号出力端子２５０ｄに接続される副制御信号入力端子２６０ａ、ラッチ信号入力端子２６０ｂ、保留ランプ６５Ａ〜６５Ｄが接続される保留ランプ駆動信号出力端子２６０Ａ〜２６０Ｄを有している。副制御信号入力端子２６０ａは、保留ランプ制御回路２６１の副制御信号入力端子２６１ａに接続され、ラッチ信号入力端子２６０ｂは、保留ランプ制御回路２６１のラッチ信号入力端子２６１ｂに接続されている。
【００５５】
副制御回路２２１、装飾ランプ制御回路２５１、保留ランプ制御回路２６１の概略動作を、図１９を参照して説明する。図１９では、副制御回路２２１は、装飾ランプ／保留ランプ用副制御信号出力端子２２１ｅから、１６ビットの装飾ランプ／保留ランプ用副制御信号をシリアルに出力する。また、１６ビットの装飾ランプ／保留ランプ用副制御信号のうち、第１ビット〜第８ビットの８ビットの信号によって装飾ランプ用副制御信号が構成され、第９ビット〜第１２ビットの４ビットの信号によって保留ランプ用副制御信号が構成され、第１３ビット〜第１６ビットの信号は使用されていない。
装飾ランプ制御回路２５１は、副制御信号入力端子２５１ａから入力された装飾ランプ／保留ランプ用副制御信号を順次シフトしながら８ビットまで記憶し、８ビットを超えると、シリアル信号出力端子２５１ｃから出力する。装飾ランプ制御回路２５１のシリアル信号出力端子２５１ｃから出力された副制御信号は、保留ランプ制御回路２６１の副制御信号入力端子２６１ａに入力される。
保留ランプ制御回路２６１は、副制御信号入力端子２６１ａから入力された装飾ランプ／保留ランプ用副制御信号を順次シフトしながら８ビットまで記憶し、８ビットを超えると、シリアル信号出力端子２６１ｃから出力する。
【００５６】
保留ランプ６５−１〜６５−４を用いて保留数を報知する第１の仕様の場合には、副制御回路２２１は、装飾ランプ／保留ランプ用副制御信号出力端子２２１ｅから１６ビットの装飾ランプ／保留ランプ用副制御信号をシリアルに順次出力する。装飾ランプ制御回路２５１は、副制御信号入力端子２５１ａから入力された装飾ランプ／保留ランプ用副制御信号を順次シフトして記憶する。副制御信号入力端子２５１ａから入力された装飾ランプ／保留ランプ用副制御信号のビット数が８を超えると、シリアル信号出力端子２５１ｃから装飾ランプ／保留ランプ用副制御信号が出力される。これにより、保留ランプ制御回路２６１には、装飾ランプ制御回路２５１のシリアル信号出力端子２５１ｃから出力された装飾ランプ／保留ランプ用副制御信号が順次シフトして記憶する。
そして、副制御回路２２１は、装飾ランプ／保留ランプ用副制御信号出力端子２２１ｅから１６ビットの装飾ランプ／保留ランプ用副制御信号をシリアル出力した後、ラッチ信号出力端子２２１ｆからラッチ信号を出力する。
装飾ランプ制御回路２５１は、ラッチ信号入力端子２５１ｂにラッチ信号が入力されると、その時点で記憶している装飾ランプ／保留ランプ用副制御信号（第１ビット〜第８ビットの信号）それぞれを装飾ランプ制御信号出力端子２５０−１〜２５０−８に出力する。これにより、駆動素子２５３−１〜２５３−８が第１ビット〜第８ビットの信号に応じて制御され、装飾ランプ５５−１〜５５−８が駆動される。
また、保留ランプ制御回路２６１は、ラッチ信号入力端子２６１ｂにラッチ信号が入力されると、その時点で記憶している装飾ランプ／保留ランプ用副制御信号（第９ビット〜第１２ビットの信号）それぞれを保留ランプ制御信号出力端子２６０−１〜２６０−４に出力する。これにより、駆動素子２６３−１〜２６３−４が第９ビット〜第１２ビットの信号に応じて制御され、保留ランプ６５−１〜６５−４が駆動される。
なお、装飾図柄表示装置３５を用いて保留数を報知する第２の仕様の場合には、保留ランプ６５Ａ〜６５Ｄと保留ランプ駆動基板２６０が用いられず、また、副制御回路２２１は、装飾ランプ／保留ランプ用副制御信号出力端子２２１ｅから、装飾ランプ用制御信号のみを有する１６ビットの装飾ランプ／保留ランプ用副制御信号（例えば、第９ビット〜第１６ビットが「０」である装飾ランプ／保留ランプ用副制御信号）をシリアルに順次出力する。
装飾ランプ用副制御信号と保留ランプ用副制御信号を共通の装飾ランプ／保留ランプ用副制御信号出力端子からシリアルに出力したが、それぞれ装飾ランプ用副制御信号出力端子および保留ランプ用副制御信号出力端子からシリアルに出力することもできる。
【００５７】
一般的には、副制御回路によって保留ランプに保留数を報知する第１の仕様に対しては、主制御回路から出力される保留数報知用主制御信号に対応する保留ランプ用副制御信号を出力する副制御回路を用いることによって対応する方法が用いられる。また、表示制御回路によって表示装置（装飾図柄表示装置）に保留数を報知する第２の仕様に対しては、主制御回路から出力される保留数報知用主制御信号に対応する保留数報知用副制御信号を表示制御回路に出力する副制御回路を用いるとともに、副制御回路から出力される保留数報知用副制御信号に対応する表示制御信号を出力する表示制御回路を用いることによって対応する方法が用いられる。この場合、第１の仕様および第２の仕様に対して共通の副制御回路を用いるのは困難である。
これに対して、前述した実施の形態では、主制御回路から出力される保留数報知用主制御信号に対応する保留数報知用副制御信号を必ず表示制御回路に出力する副制御回路を用いている。これにより、主制御回路から出力される保留数報知用主制御信号に対応する副制御回路の処理内容および副制御回路から出力される保留数報知用副制御信号に対応する表示制御回路の処理内容を第１の仕様あるいは第２の仕様に応じて設定するのみで、あるいは、副制御回路から出力される保留数報知用副制御信号に対応する表示制御回路の処理内容を第１の仕様あるいは第２の仕様に応じて設定するのみで対応することができる。したがって、副制御回路によって保留ランプに保留数を報知する第１の仕様および表示制御回路によって表示装置に保留数を報知する第２の仕様に対して共通の副制御回路を用いることができる。
【００５８】
ここで、副制御回路から出力される保留数報知用副制御信号に対応する表示制御回路の処理内容を設定する方法として、表示制御回路用処理リストの保留数報知用副制御信号に対応する処理内容を書き替える方法を用いることができ、また、主制御回路から出力される保留数報知用主制御信号に対応する副制御回路の処理内容を設定する方法として、副制御回路用処理リストの保留数報知用主制御信号に対応する処理内容を書き替える方法を用いることができる。この場合、表示制御回路用処理リストや副制御回路用処理リストへの制御信号や処理内容の削除作業を伴わないため、容易、確実に処理内容の書き替えを行うことができる。さらに、書き替えた後の処理内容の確認も容易である。
また、前述した実施の形態では、副制御回路は、主制御回路から出力される抽選結果報知用主制御信号や大当たり遊技報知用主制御信号に対応する抽選結果報知用副制御信号や大当たり遊技報知用副制御信号だけでなく、主制御回路から出力される保留数報知用主制御信号に対応する保留数報知用副制御信号も表示制御回路に出力している。すなわち、副制御回路は、第１の仕様および第２の仕様に関係なく、主制御回路から副制御回路に出力される副制御用主制御信号それぞれに対応する表示用副制御信号を表示制御回路に出力している。このため、表示制御回路用処理リストおよび副制御回路用処理リストを、同じ種類の副制御用主制御信号および表示用副制御信号が同じ順序で配置された共通の形式に構成することができる。例えば、図６および図８に示すように、副制御回路用処理リストを、抽選結果報知用主制御信号、大当たり報知用主制御信号、保留数報知用主制御信号の順に副制御用主制御信号が配置された形式に構成し、表示制御回路用処理リストを、抽選結果報知用主制御信号に対応する抽選結果報知用副制御信号、大当たり報知用主制御信号に対応する大当たり報知用副制御信号、保留数報知用主制御信号に対応する保留数報知用副制御信号の順に表示用副制御信号が配置された形式に構成することができる。このように表示制御回路用処理リストと副制御回路用処理リストを共通の形式に構成することにより、表示制御回路用処理リストと副制御回路用処理リストを対比することによって、表示制御回路の処理内容および副制御回路の処理内容の書き替えミスを迅速、容易に確認することができる。例えば、同じ順番の位置に配置されている、表示制御回路用処理リストの保留報知用副制御信号に対応する表示制御回路の処理内容と副制御回路用処理リストの保留数報知用主制御信号に対応する副制御回路の処理内容を対比することによって、第１の仕様あるいは第２の仕様に対して表示制御回路の処理内容や副制御回路の処理内容が適切に書き替えられているか否かを迅速、容易に確認することができる。制御信号の数が多くなればなるほど表示制御回路の処理内容や副制御回路の処理内容の書き替えミスが多くなるため、表示制御回路用処理リストと副制御回路用処理リストを共通の形式に構成することによる効果を期待することができる。
【００５９】
本発明は、実施の形態で説明した構成に限定されず、種々の変更、追加、削除が可能である。
実施の形態では、装飾ランプ駆動回路（装飾ランプ制御回路５１と駆動素子５３Ａ〜５３Ｍ）を装飾ランプ駆動基板５０に設けたが、装飾ランプ駆動回路は副制御基板２０に設けることもできる。また、保留ランプ駆動回路（保留ランプ制御回路６１と駆動素子６３Ａ〜６３Ｄ）を保留ランプ駆動基板６０に設け、補助ランプ駆動回路（補助ランプ制御回路１６１と駆動素子１６３Ａ〜１６３Ｎ）を補助ランプ駆動基板１６０に設けたが、保留ランプ駆動回路や補助ランプ駆動回路を副制御基板２０に設けることもできる。このように構成した場合でも、副制御回路２１を兼用して用いることができる。
実施の形態では、保留数を保留ランプを用いて報知する仕様の遊技機あるいは保留数を装飾図柄表示装置を用いて報知する仕様の遊技機に対して共通の副制御回路を用いる場合について説明したが、保留数を保留ランプおよび装飾図柄表示装置を用いて報知する仕様の遊技機に対しても共通の副制御回路を用いることができる。
制御系の構成は、実施の形態で説明した構成に限定されない。
副制御回路用処理リストおよび表示制御回路用処理リストにおける処理内容の設定方法としては、種々の方法を用いることができる。
実施の形態で説明されている各構成は単独で用いることもできるし、適宜選択した複数の構成を組み合わせて用いることもできる。
実施の形態では、パチンコ機について説明したが、本発明の技術はパチンコ機以外の種々の遊技機に用いることができる。
【００６０】
本発明は、以下のように構成することもできる。
「（態様１）請求項１の遊技機であって、
前記副制御基板には、前記主制御回路から出力される抽選結果報知用主制御信号および保留数報知用主制御信号に対応する前記副制御回路の処理内容が書き込まれた副制御回路用処理リストが記憶されている副制御用記憶回路が設けられており、
前記表示制御基板には、前記副制御回路から出力される抽選結果報知用副制御信号および保留数報知用副制御信号に対応する前記表示制御回路の処理内容が書き込まれた表示制御回路用処理リストが記憶されている表示制御用記憶回路が設けられており、
前記副制御回路用処理リストに、保留数報知用主制御信号に対応する処理内容として、保留数報知用主制御信号に対応して保留ランプを制御するための保留ランプ用副制御信号を出力する処理内容が書き込まれていることによって、前記副制御回路は、保留ランプ用副制御信号を出力するように設定され、保留数報知用主制御信号に対応する処理内容として、保留数報知用主制御信号に対応して保留ランプを制御するための保留ランプ用副制御信号を出力しない処理内容が書き込まれていることによって、前記副制御回路は、保留ランプ用副制御信号を出力しないように設定され、
前記表示制御回路用処理リストに、保留数報知用副制御信号に対応する処理内容として、保留数報知用副制御信号に対応して表示装置を制御するための表示制御信号を出力しない処理内容が書き込まれていることによって、前記表示制御回路は、保留数報知用副制御信号に対応する表示制御信号を出力しないように設定され、保留数報知用副制御信号に対応する処理内容として、保留数報知用副制御信号に対応して表示装置を制御するための表示制御信号を出力する処理内容が書き込まれていることによって、前記表示制御回路は、保留数報知用副制御信号に対応する表示制御信号を出力するように設定される、
ことを特徴とする遊技機。」として構成することができる。
【００６１】
本態様では、主制御信号に対応する副制御回路の処理内容が書き込まれた副制御回路用処理リストと、副制御信号に対応する表示制御回路の処理内容が書き込まれた表示制御回路用処理リストを設けている。そして、副制御回路用処理リストの保留数報知用主制御信号に対応する処理内容として、保留数報知用主制御信号に対応する保留ランプ用副制御信号を出力する処理内容あるいは保留数報知用主制御信号に対応する保留ランプ用副制御信号を出力しない処理内容が書き込まれていることによって、副制御回路の処理態様が設定される。また、表示制御回路用処理リストの保留数報知用副制御信号に対応する処理内容として、保留数報知用副制御信号に対応する表示制御信号を出力しない処理内容あるいは保留数報知用副制御信号に対応する表示制御信号を出力する処理内容が書き込まれていることによって、表示制御回路の処理態様が設定される。
これにより、副制御回路用処理リストおよび表示制御回路用処理リストを共通のプログラム形式を用いて構成することができ、副制御回路および表示制御回路の処理態様を容易に設定することができる。さらに、副制御回路用処理リストと表示制御回路用処理リストを比較することによって、副制御回路および表示制御回路の処理態様が各仕様に対応して設定されているか否かを容易に確認することができる。
【００６２】
また、「（態様２）抽選条件の成立に起因して取得した判定用乱数を用いて抽選を行い、抽選結果に基づいて遊技者に有利な大当たり遊技状態を発生させるか否かを決定する遊技機であり、保留情報記憶条件が満足されている状態で抽選条件が成立した場合には、取得した判定用乱数を含む保留情報を記憶し、保留情報消化条件が満足された場合に、前記保留情報を読み出し、読み出した保留情報に含まれている判定用乱数を用いて抽選を行うとともに、抽選結果および保留情報の数を報知する遊技機であって、
主制御基板と、前記主制御基板に設けられた主制御回路と、副制御基板と、前記副制御基板に設けられた副制御回路と、表示制御基板と、前記表示制御基板に設けられた表示制御回路と、表示装置を備え、
前記主制御回路は、前記抽選結果を示す抽選結果報知用主制御信号および前記保留情報の数を示す保留数報知用主制御信号を前記副制御回路に出力し、
前記副制御回路は、前記主制御回路から出力された抽選結果報知用主制御信号に対応する抽選結果報知用副制御信号および保留数報知用主制御信号に対応する保留数報知用副制御信号を前記表示制御回路に出力するとともに、前記保留数報知用主制御信号に対応して保留ランプを制御するための保留ランプ用副制御信号を出力し、
前記表示制御回路は、前記副制御回路から出力された抽選結果報知用副制御信号に対応して前記表示装置を制御するための表示制御信号を出力するとともに、保留数報知用副制御信号に対応する表示制御信号を出力しないように設定されている場合には、前記副制御回路から出力された保留数報知用副制御信号に対応して前記表示装置を制御するための表示制御信号を出力せず、保留数報知用副制御信号に対応する表示制御信号を出力するように設定されている場合には、前記副制御回路から出力された保留数報知用副制御信号に対応して前記表示装置を制御するための表示制御信号を出力する、
ことを特徴とする遊技機。」として構成することができる。
【００６３】
本態様では、副制御回路は、主制御回路から出力された保留数報知用主制御信号に対応する保留数報知用副制御信号を表示制御回路に出力するとともに、保留数報知用主制御信号に対応する保留ランプ用副制御信号を出力する。そして、表示制御回路は、保留数報知用副制御信号に対応する表示制御信号を出力しないように設定されている場合には、副制御回路から出力された保留数報知用副制御信号に対応して表示装置を制御するための表示制御信号を出力せず、保留数報知用副制御信号に対応する表示制御信号を出力するように設定されている場合には、副制御回路から出力された保留数報知用副制御信号に対応して表示装置を制御するための表示制御信号を出力する。
副制御回路から表示制御回路に副制御信号を出力方する法としては、パラレル出力方法やシリアル出力方法を用いることができる。副制御信号をパラレル出力する方法を用い、保留数を表示装置を用いて報知する場合には、報知ランプ用副制御信号出力端子を有していない副制御基板を設け、副制御回路の保留ランプ用副制御信号出力端子を開放状態に設定するのが好ましい。これにより、副制御基板の空き端子を利用した不正遊技を防止することができる。
本態様では、副制御回路によって保留数を保留ランプを用いて報知する仕様の遊技機と、表示制御回路によって保留数を表示装置を用いて報知する仕様の遊技機に対して、表示制御回路を、保留数報知用副制御信号に対応する表示制御信号を出力しないようにあるいは保留数報知用副制御信号に対応する表示装置を出力するように設定するだけで、共通の副制御回路を用いることができる。
【００６４】
また、「（態様３）、態様２の遊技機であって、
前記表示制御基板には、前記副制御回路から出力された抽選結果報知用副制御信号および保留球数報知用副制御信号に対して、前記抽選結果報知用副制御信号および保留球数報知用副制御信号に対する前記表示制御回路の処理内容が書き込まれた表示制御回路用処理リストが記憶されている表示制御用記憶回路が設けられており、
前記表示制御回路用処理リストに、保留数報知用副制御信号に対応する処理内容として、保留数報知用副制御信号に対応して表示装置を制御するための表示制御信号を出力しない処理内容が書き込まれていることによって、前記表示制御回路は、保留数報知用副制御信号に対応する表示制御信号を出力しないように設定され、保留数報知用副制御信号に対応する処理内容として、保留数報知用副制御信号に対応して表示装置を制御するための表示制御信号を出力する処理内容が書き込まれていることによって、前記表示制御回路は、保留数報知用副制御信号に対応する表示制御信号を出力しないように設定される、
ことを特徴とする遊技機。として構成することができる。
【００６５】
本態様では、副制御信号に対応する表示制御回路の処理内容が書き込まれた表示制御回路用処理リストを設けている。そして、表示制御回路用処理リストの保留数報知用副制御信号に対応する処理内容として、保留数報知用副制御信号に対応する表示制御信号を出力しない処理内容あるいは保留数報知用副制御信号に対応する表示制御信号を出力する処理内容が書き込まれていることによって、表示制御回路の処理態様が設定される。
これにより、表示制御回路の処理態様を容易に設定することができる。
【００６６】
また、「（態様４）請求項１、態様１〜３のいずれかの遊技機であって、装飾ランプを備えているとともに、前記副制御回路は、前記主制御回路から出力された抽選結果報知用主制御信号に対応して前記装飾ランプを制御するための装飾ランプ用副制御信号を出力し、また、前記副制御回路は、前記装飾ランプ用副制御信号と前記保留ランプ用副制御信号それぞれを出力する装飾ランプ用副制御信号出力端子と保留ランプ用副制御信号出力端子を有しているか、あるいは、前記装飾ランプ用副制御信号と前記保留ランプ用副制御信号を出力する共通の装飾ランプ／保留ランプ用副制御信号出力端子を有している、
ことを特徴とする遊技機。」として構成することができる。
【００６７】
本態様では、副制御回路には、装飾ランプ用副制御信号および保留ランプ用副制御信号それぞれをパラレル出力する装飾ランプ用副制御信号出力端子と保留ランプ用副制御信号出力端子を有しているか、あるいは、装飾ランプ用副制御信号と保留ランプ用副制御信号をシリアル出力する共通の装飾ランプ／保留ランプ用副制御信号出力端子を有している。
【００６８】
また、「（態様５）抽選条件の成立に起因して取得した判定用乱数を用いて抽選を行い、抽選結果に基づいて遊技者に有利な大当たり遊技状態を発生させるか否かを決定する遊技機であり、保留情報記憶条件が満足されている状態で抽選条件が成立した場合には、取得した判定用乱数を含む保留情報を記憶し、保留情報消化条件が満足された場合に、前記保留情報を読み出し、読み出した保留情報に含まれている判定用乱数を用いて抽選を行うとともに、抽選結果および保留情報の数を報知する遊技機であって、
主制御基板と、前記主制御基板に設けられた主制御回路と、副制御基板と、前記副制御基板に設けられた副制御回路と、表示制御基板と、前記表示制御基板に設けられた表示制御回路と、表示装置を備え、
前記主制御回路は、前記抽選結果を示す抽選結果報知用主制御信号および前記保留情報の数を示す保留数報知用主制御信号を前記副制御回路に出力し、
前記副制御回路は、前記主制御回路から出力された抽選結果報知用主制御信号に対応する抽選結果報知用副制御信号および保留数報知用主制御信号に対応する保留数報知用副制御信号を前記表示制御回路に出力するとともに、保留ランプ用副制御信号を出力するように設定されている場合には、前記保留数報知用主制御信号に対応して保留ランプを制御するための保留ランプ用副制御信号を出力し、補助ランプ用副制御信号を出力するように設定されている場合には、前記保留数報知用主制御信号に対応して補助ランプを制御するための補助ランプ用副制御信号を出力し、
前記表示制御回路は、前記副制御回路から出力された抽選結果報知用副制御信号に対応して前記表示装置を制御するための表示制御信号を出力するとともに、保留数報知用副制御信号に対応する表示制御信号を出力しないように設定されている場合には、前記副制御回路から出力された保留数報知用副制御信号に対応して前記表示装置を制御するための表示制御信号を出力せず、保留数報知用副制御信号に対応する表示制御信号を出力するように設定されている場合には、前記副制御回路から出力された保留数報知用副制御信号に対応して前記表示装置を制御するための表示制御信号を出力する、
ことを特徴とする遊技機。」として構成することができる。
【００６９】
本態様では、副制御回路は、主制御回路から出力された保留数報知用主制御信号に対応する保留数報知用副制御信号を表示制御回路に出力する。また、副制御回路は、保留ランプ用副制御信号を出力するように設定されている場合には、保留数報知用主制御信号に対応して保留ランプを制御するための保留ランプ用副制御信号を出力し、補助ランプ用副制御信号を出力するように設定されている場合には、保留数報知用主制御信号に対応して補助ランプを制御するための補助ランプ用副制御信号を出力する。表示制御回路は、保留数報知用副制御信号に対応する表示制御信号を出力しないように設定されている場合には、副制御回路から出力された保留数報知用副制御信号に対応して表示装置を制御するための表示制御信号を出力せず、保留数報知用副制御信号に対応する表示制御信号を出力するように設定されている場合には、副制御回路から出力された保留数報知用副制御信号に対応して表示装置を制御するための表示制御信号を出力する。
本態様では、副制御回路によって保留数を保留ランプを用いて報知する仕様の遊技機と、表示制御回路によって保留数を表示装置を用いて報知する仕様の遊技機に対して、副制御回路を、保留数報知用主制御信号に対応する保留ランプ用副制御信号あるいは保留数報知用主制御信号に対応する補助ランプ用副制御信号を出力するように設定するとともに、表示制御回路を、保留数報知用副制御信号に対応する表示制御信号を出力しないようにあるいは保留数報知用副制御信号に対応する表示装置を出力するように設定するだけで、共通の副制御回路を用いることができる。特に、本態様では、共通の副制御基板も用いることができるため、遊技機をより安価に製造することができる。
【００７０】
また、「（態様６）態様５の遊技機であって、
前記副制御基板には、前記主制御回路から出力される抽選結果報知用主制御信号および保留数報知用主制御信号に対応する前記副制御回路の処理内容が書き込まれた副制御回路用処理リストが記憶されている副制御用記憶回路が設けられており、
前記表示制御基板には、前記副制御回路から出力される抽選結果報知用副制御信号および保留数報知用副制御信号に対応する前記表示制御回路の処理内容が書き込まれた表示制御回路用処理リストが記憶されている表示制御用記憶回路が設けられており、
前記副制御回路用処理リストに、保留数報知用主制御信号に対応する処理内容として、保留数報知用主制御信号に対応して保留ランプを制御するための保留ランプ用副制御信号を出力する処理内容が書き込まれていることによって、前記副制御回路は、保留ランプ用副制御信号を出力するように設定され、保留数報知用主制御信号に対応する処理内容として、保留数報知用主制御信号に対応して補助ランプを制御するための補助ランプ用副制御信号を出力する処理内容が書き込まれていることによって、前記副制御回路は、補助ランプ用副制御信号を出力するように設定され、
前記表示制御回路用処理リストに、保留数報知用副制御信号に対応する処理内容として、保留数報知用副制御信号に対応して表示装置を制御するための表示制御信号を出力しない処理内容が書き込まれていることによって、前記表示制御回路は、保留数報知用副制御信号に対応する表示制御信号を出力しないように設定され、保留数報知用副制御信号に対応する処理内容として、保留数報知用副制御信号に対応して表示装置を制御するための表示制御信号を出力する処理内容が書き込まれていることによって、前記表示制御回路は、保留数報知用副制御信号に対応する表示制御信号を出力するように設定される、
ことを特徴とする遊技機。」として構成することができる。
【００７１】
本態様では、主制御信号に対応する副制御回路の処理内容が書き込まれた副制御回路用処理リストと、副制御信号に対応する表示制御回路の処理内容が書き込まれた表示制御回路用処理リストを設けている。そして、副制御回路用処理リストの保留数報知用主制御信号に対応する処理内容として、保留数報知用主制御信号に対応する保留ランプ用副制御信号を出力する処理内容あるいは保留数報知用主制御信号に対応する補助ランプ用副制御信号を出力する処理内容が書き込まれていることによって、副制御回路の処理態様が設定される。また、表示制御回路用処理リストの保留数報知用副制御信号に対応する処理内容として、保留数報知用副制御信号に対応する表示制御信号を出力しない処理内容あるいは保留数報知用副制御信号に対応する表示制御信号を出力する処理内容が書き込まれていることによって、表示制御回路の処理態様が設定される。
これにより、副制御回路用処理リストおよび表示制御回路用処理リストを共通のプログラム形式を用いて構成することができ、副制御回路および表示制御回路の処理態様を容易に設定することができる。さらに、副制御回路用処理リストと表示制御回路用処理リストを比較することによって、副制御回路および表示制御回路の処理態様が各仕様に対応して設定されているか否かを容易に確認することができる。
【００７２】
また、「（態様７）請求項６または７の遊技機であって、装飾ランプを備えているとともに、前記副制御回路は、前記主制御回路から出力された抽選結果報知用主制御信号に対応して前記装飾ランプを制御するための装飾ランプ用副制御信号を出力し、また、前記副制御回路は、前記装飾ランプ用副制御信号と前記保留ランプ用副制御信号または前記補助ランプ用副制御信号それぞれを出力する装飾ランプ用副制御信号出力端子と保留ランプ用副制御信号出力端を有しているか、あるいは、前記装飾ランプ用副制御信号と前記保留ランプ用副制御信号または前記補助ランプ用副制御信号を出力する共通の装飾ランプ／保留ランプ用副制御信号出力端子を有している、
ことを特徴とする遊技機。」として構成することができる。
【００７３】
本態様では、副制御回路には、装飾ランプ用副制御信号と保留ランプ用副制御信号または補助ランプ用副制御信号をパラレル出力する装飾ランプ用副制御信号出力端子と保留ランプ用副制御信号出力端子を有しているか、あるいは、装飾ランプ用副制御信号と保留ランプ用副制御信号または補助ランプ用副制御信号をシリアル出力する共通の装飾ランプ／保留ランプ用副制御信号出力端子を有している。
【００７４】
また、「（態様８）請求項１、態様１〜７のいずれかの遊技機であって、前記保留情報は設定数まで記憶可能であることを特徴とする遊技機。」として構成することができる。
【図面の簡単な説明】
【００７５】
【図１】本発明をパチンコ機として構成した第１の実施の形態の正面図である。
【図２】第１の実施の形態の第1の仕様（保留ランプを用いて保留数を報知する仕様）の制御系の概略構成図である。
【図３】第１の実施の形態の主制御回路の概略構成を示す図である。
【図４】第１の実施の形態の主制御回路の抽選処理の概略を説明するフローチャートである。
【図５】第１の実施の形態の主制御回路の主制御信号出力処理の概略を説明するフローチャートである。
【図６】第１の実施の形態の第1の仕様の副制御回路用処理リストを示す図である。
【図７】第１の実施の形態の第１の仕様の副制御回路の処理を説明するフローチャートである。
【図８】第１の実施の形態の第１の仕様の表示制御回路用処理リストを示す図である。
【図９】第１の実施の形態の第１の仕様の表示制御回路の処理を説明するフローチャートである。
【図１０】第１の実施の形態の第２の仕様（装飾図柄表示装置を用いて保留数を報知する仕様）の制御系の概略構成図である。
【図１１】第１の実施の形態の第２の仕様の副制御回路用処理リストを示す図である。
【図１２】第１の実施の形態の第２の仕様の副制御回路の処理を説明するフローチャートである。
【図１３】第１の実施の形態の第２の仕様の表示制御回路用処理リストを示す図である。
【図１４】第１の実施の形態の第２の仕様の表示制御回路の処理を説明するフローチャートである。
【図１５】第１の実施の形態の第３の仕様（装飾図柄表示装置を用いて保留数を報知し、保留ランプに替えて補助ランプを用いる仕様）の制御系の概略構成図である。
【図１６】第１の実施の形態の第３の仕様の副制御回路用処理リストを示す図である。
【図１７】第１の実施の形態の第３の仕様の表示制御回路用処理リストを示す図である。
【図１８】第２の実施の形態の第１の仕様の制御系の概略構成図である。
【図１９】第２の実施の形態の動作を説明する図である。
【符号の説明】
【００７６】
１  パチンコ機
２  基枠
３  本体枠
４  遊技盤
５  ガラス枠
６  始動入賞装置
７  大入賞装置
８  普通入賞装置
９  発射レバー
１０  主制御基板
１１  主制御回路
１２  記憶回路（主制御用記憶回路）
１３  表示装置駆動装置
１５  特別図柄表示装置
２０、１２０、２２０  副制御基板
２１、２２１  副制御回路
２２、２２２  記憶回路（副制御用記憶回路）
２３、２２３  音源ＩＣ
３０  表示制御基板
３１  表示制御回路
３２  記憶回路（表示制御用記憶回路）
３５  装飾図柄表示装置
４０  表示装置駆動装置
３６Ａ〜Ｄ  保留表示部（保留数表示部）
５０、２５０  装飾ランプ駆動基板
５１、２５１  装飾ランプ制御回路
５２  記憶回路（装飾ランプ用記憶回路）
５３Ａ〜５３Ｍ  駆動素子（装飾ランプ用駆動素子）
５５Ａ〜５５Ｍ  装飾ランプ（装飾用光発生器）
６０、２６０  保留ランプ駆動基板
６１、２６１  保留ランプ制御回路
６２、１６２  記憶回路（保留ランプ用記憶回路）
６３Ａ〜６３Ｄ、２６３Ａ〜２６３Ｄ  駆動素子（保留ランプ用駆動素子）
６５Ａ〜６５Ｄ  保留ランプ（保留数報知用光発生器）
１６０  補助ランプ駆動基板
１６１  補助ランプ制御回路
１６２  記憶回路（補助ランプ用記憶回路）
１６３〜１６３Ｎ  駆動素子（補助ランプ用駆動素子）
１６５Ａ〜１６５Ｄ  補助ランプ（補助装飾用光発生器）
【図１】
2009045125.tif 000003
【図２】
2009045125.tif 000004
【図３】
2009045125.tif 000005
【図４】
2009045125.tif 000006
【図５】
2009045125.tif 000007
【図６】
2009045125.tif 000008
【図７】
2009045125.tif 000009
【図８】
2009045125.tif 000010
【図９】
2009045125.tif 000011
【図１０】
2009045125.tif 000012
【図１１】
2009045125.tif 000013
【図１２】
2009045125.tif 000014
【図１３】
2009045125.tif 000015
【図１４】
2009045125.tif 000016
【図１５】
2009045125.tif 000017
【図１６】
2009045125.tif 000018
【図１７】
2009045125.tif 000019
【図１８】
2009045125.tif 000020
【図１９】
2009045125.tif 000021